(57)【特許請求の範囲】
【請求項１】
長尺状プリント用感光材料を収容するマガジンからプリント用感光材料を供給する供給手段と、
前記供給手段により供給されたプリント用感光材料を所望のプリントサイズに応じて露光する露光手段と、
前記露光手段により露光されたプリント用感光材料を現像処理するペーパー現像処理手段と、
を有する露光現像装置において、
前記供給手段による供給と前記ペーパー現像処理手段による現像処理の間に、前記所望のプリントサイズによっては、プリント用感光材料を複数枚のプリント分の長さに切断する所定長切断手段と、
前記ペーパー現像処理手段により現像処理されたプリント用感光材料を所望のプリントサイズに応じて所定の幅に切断する所定幅切断手段を設けたことを特徴とする露光現像装置。
【請求項２】
前記露光手段が１のプリント用感光材料に対して幅方向に複数の画像を露光しうることを特徴とする請求項１に記載の露光現像装置。
【請求項３】
前記所定幅切断手段の所定の幅の切断は、前記露光手段による露光像に応じて、実行したり実行しなかったりするものであり、
前記露光手段による露光像に応じて、前記所定幅切断手段が前記露光手段により露光されたプリント用感光材料の所定の幅の切断を実行するために、タイミングを制御する制御手段を有することを特徴とする請求項１又は２に記載の露光現像装置。
【請求項４】
長尺状プリント用感光材料を収容するマガジンからプリント用感光材料を供給し、
供給されたプリント用感光材料を所望のプリントサイズに応じて露光し、
露光されたプリント用感光材料を現像処理して、
プリントを生産するプリント生産方法において、
前記供給と前記現像処理の間に、前記所望のプリントサイズによっては、プリント用感光材料を複数枚のプリント分の長さに切断する工程と、
現像処理されたプリント用感光材料を所望のプリントサイズに応じて所定の幅に切断する工程とを有することを特徴とするプリント生産方法。
【請求項５】
１のプリント用感光材料に対して幅方向に複数の画像を露光し、当該露光をされたプリント用感光材料を所定の幅に切断することを特徴とする請求項４に記載のプリント生産方法。
【請求項６】
前記所定の幅の切断は、露光像に応じて、実行したり実行しなかったりするものであり、
前記露光像に応じて、露光されたプリント用感光材料の所定の幅の切断を実行するために、タイミングを制御することを特徴とする請求項４又は５に記載のプリント生産方法。
【請求項７】
長尺状プリント用感光材料を収容するマガジンからプリント用感光材料を供給するペーパー供給手段、
前記ペーパー供給手段により供給されたプリント用感光材料を所望のプリントサイズに応じて露光する露光手段、
前記ペーパー供給手段により供給されたプリント用感光材料を所望のプリントサイズに応じて所定の長さに切断する所定長切断手段、及び、
前記露光手段により露光され、前記所定長切断手段により切断されたプリント用感光材料を現像処理するペーパー現像処理手段、
を有する露光現像装置において、
前記所望のプリントサイズによっては、前記所定長切断手段が複数枚のプリント分の長さに切断し、
さらに、前記ペーパー現像処理手段により現像処理した後に、所望のプリントサイズの所定の長さに切断する第二所定長切断手段を有することを特徴とする露光現像装置。
【請求項８】
複数枚のプリント分の長さに切断するプリントは全て同一の画像のプリントであることを特徴とする請求項７に記載の露光現像装置。
【請求項９】
前記露光手段がデジタル画像から露光するものであることを特徴とする請求項８に記載の露光現像装置。
【発明の詳細な説明】
【０００１】
【発明の属する技術分野】
本発明は、露光現像装置及びプリント生産方法に関するものである。
【０００２】
【従来の技術】
従来、多様な幅のプリントを作成する場合、プリントの幅と同じ幅の長尺状プリント用感光材料を収容するマガジンを交換してセットしていた。従って、マガジンの交換頻度が高く、複数の幅のプリントを作成することは効率が悪かった。
【０００３】
また、従来、長尺状プリント用感光材料から複数の長さのプリントを作成する場合、プリントの長さと同じ長さに切断してからプリント用感光材料を現像処理するか、露光部と現像処理部の間にアキュームを設け、プリント用感光材料を成り行きの長さの長尺で現像処理した後、プリントの長さと同じ長さに切断していた。
【０００４】
【発明が解決しようとする課題】
そこで、長尺状プリント用感光材料を所定の幅に切断することを考えた。しかし、長尺状プリント用感光材料を露光する前や露光後現像処理する前に、所定の幅に切断すると、現像処理手段が多様な幅のプリント用感光材料に対応しなければならず、例えば、ガイド搬送方式であるとガイドをその都度切り換える必要があるし、ローラ搬送方式であると多様な幅のプリント用感光材料に対応する搬送ローラでなければならないなどという問題があることが判った。
【０００５】
第一の発明の目的は、マガジンの交換や現像処理手段への負担なく、また、プリントの幅の切り替えに時間がかからずに、複数の幅のプリントを作成することである。
【０００６】
また、長尺状プリント用感光材料を所定の幅に切断すると、一方のプリント用感光材料は画像を露光され有効に利用されるが、他方のプリント用感光材料は露光されないことになり、無駄が発生する。そこで、一方を露光した後、他方を露光することが考えられるが、複雑な機構が必要となる。
【０００７】
第二の発明の目的は、マガジンの交換や露光のための複雑な機構を必要とせずに、複数の幅のプリントを作成することである。
【０００８】
しかし、プリントの長さと同じ長さに切断してからプリント用感光材料を現像処理すると、プリントの長さが短いものも搬送できるように、プリントの長さが短いものに対応しようとすると搬送機構がコストの高いものになる。また、露光部と現像処理部の間にアキュームを設け、プリント用感光材料を成り行きの長さの長尺で現像処理した後、プリントの長さと同じ長さに切断する方法では、プリント用感光材料を長尺で搬送できるので搬送機構を簡単にできるが、アキューム機構が必要であり、また、プリント１〜２枚分だけプリント用感光材料を露光すると、搬送機構を簡単にすると、それだけでは搬送できなくなるので、次の露光がされるまで処理を待つか、または、プリント用感光材料を無駄にして、ある程度の長さで切断して処理するかしなければならない。
【０００９】
第三の発明の目的は、現像処理部の搬送機構をプリントの長さが短いものに対応したコストの高いものにする必要なく、露光部と現像処理部の間にアキュームを設ける必要がなく、長尺状プリント用感光材料から複数の長さのプリントを作成することができるようにすることである。
【００１０】
【課題を解決するための手段】
本発明の上記目的は、特許請求の範囲の各請求項に記載の発明を特定するための事項の全てにより達成される。以下、各請求項について説明する。
【００１１】
〔請求項１の説明〕『長尺状プリント用感光材料を収容するマガジンからプリント用感光材料を供給する供給手段と、
前記供給手段により供給されたプリント用感光材料を所望のプリントサイズに応じて露光する露光手段と、
前記露光手段により露光されたプリント用感光材料を現像処理するペーパー現像処理手段と、
を有する露光現像装置において、
前記供給手段による供給と前記ペーパー現像処理手段による現像処理の間に、前記所望のプリントサイズによっては、プリント用感光材料を複数枚のプリント分の長さに切断する所定長切断手段と、
前記ペーパー現像処理手段により現像処理されたプリント用感光材料を所望のプリントサイズに応じて所定の幅に切断する所定幅切断手段を設けたことを特徴とする露光現像装置。』
により、現像処理されたプリント用感光材料を所定の幅に切断するので、露光手段や現像処理手段にはマガジンに収容されているプリント用感光材料の幅のプリント用感光材料が送られ、露光手段や現像処理手段の搬送機構への負担なく、また、プリントの幅の切替えに、露光手段や現像処理手段の搬送機構の切替えが不要なので、プリントの幅の切り替えに時間がかからずに、長尺状プリント用感光材料を収容するマガジンを交換しなくても、マガジンに収容されている幅のプリントだけでなく他の幅のプリントも作成できる。
供給手段による供給とペーパー現像処理手段による現像処理の間にプリント用感光材料を所定の長さに切断するので、露光と現像処理とを同期させたり、大きなアキュームを持たせたりする必要がなく、プリントサイズによっては、複数枚のプリント分の長さに切断し、現像処理することにより、ペーパー現像処理手段の搬送機構を簡単なものにすることができる。
また、既に所定の長さに切断された後のプリントを所定の幅に切断する（例えば、ロールマガジンから供給された２１０ｍｍ幅の印画紙を１４８ｍｍの長さ毎に切断し、現像処理した後のプリントを１０５ｍｍ幅に切断することなど）ので、所定幅切断手段の制御が容易であり、所定の幅に切断する箇所と切断しない箇所の切替え位置（例えば、実施形態１の葉書サイズプリントからＡ４サイズプリントへの切替え位置）で切断しすぎたり、切断不足であったりすることを容易に防止できる。
【００１２】
〔請求項２の説明〕『前記露光手段が１のプリント用感光材料に対して幅方向に複数の画像を露光しうることを特徴とする請求項１に記載の露光現像装置。』
により、幅方向に複数の画像を露光しうるので、簡単な構造で、所定の幅に切断されるプリント用感光材料を有効に利用でき、露光されないプリント用感光材料の割合を小さく又は無くすことができる。
【００１６】
〔請求項３の説明〕『前記所定幅切断手段の所定の幅の切断は、前記露光手段による露光像に応じて、実行したり実行しなかったりするものであり、
前記露光手段による露光像に応じて、前記所定幅切断手段が前記露光手段により露光されたプリント用感光材料の所定の幅の切断を実行するために、タイミングを制御する制御手段を有することを特徴とする請求項１又は２に記載の露光現像装置。』
により、露光手段による露光像に応じて、タイミングを制御する制御手段により所定幅切断手段が所定の幅の切断を実行したり実行しなかったりするものであるので、間違えて所定の幅に切断することを防止できる。
【００１７】
〔請求項４の説明〕『長尺状プリント用感光材料を収容するマガジンからプリント用感光材料を供給し、
供給されたプリント用感光材料を所望のプリントサイズに応じて露光し、
露光されたプリント用感光材料を現像処理して、
プリントを生産するプリント生産方法において、
前記供給と前記現像処理の間に、前記所望のプリントサイズによっては、プリント用感光材料を複数枚のプリント分の長さに切断する工程と、
現像処理されたプリント用感光材料を所望のプリントサイズに応じて所定の幅に切断する工程とを有することを特徴とするプリント生産方法。』
により、現像処理されたプリント用感光材料を所定の幅に切断するので、マガジンに収容されているプリント用感光材料の幅のプリント用感光材料を露光や現像処理すればよく、露光や現像処理の搬送機構への負担がなく、また、プリントの幅の切替えに、露光や現像処理の搬送機構の切替えが不要なので、プリントの幅の切り替えに時間がかからずに、長尺状プリント用感光材料を収容するマガジンを交換しなくても、マガジンに収容されている幅のプリントだけでなく他の幅のプリントも作成できる。
供給と現像処理の間の工程でプリント用感光材料を所定の長さに切断するので、露光と現像処理とを同期する必要がなく、露光と現像処理との間に大きなアキュームを持たせる必要がなく、プリントサイズによっては、複数枚のプリント分の長さに切断し、現像処理することにより、ペーパー現像処理の搬送機構を簡単なものにすることができる。
また、既に所定の長さに切断された後のプリントを所定の幅に切断する（例えば、ロールマガジンから供給された２１０ｍｍ幅の印画紙を１４８ｍｍの長さ毎に切断し、現像処理した後のプリントを１０５ｍｍ幅に切断することなど）ので、所定の幅の切断の制御が容易であり、所定の幅に切断する箇所と切断しない箇所の切替え位置（例えば、実施形態１の葉書サイズプリントからＡ４サイズプリントへの切替え位置）で切断しすぎたり、切断不足であったりすることを容易に防止できる。
【００１８】
〔請求項５の説明〕『１のプリント用感光材料に対して幅方向に複数の画像を露光し、当該露光をされたプリント用感光材料を所定の幅に切断することを特徴とする請求項４に記載のプリント生産方法。』
により、幅方向に複数の画像を露光しうるので、簡単な構造で、所定の幅に切断されるプリント用感光材料を有効に利用でき、露光されないプリント用感光材料の割合を小さく又は無くすことができる。
【００１９】
なお、幅方向に複数の画像を露光する例としては、図３７に示すように、２１０ｍｍ幅のプリント用感光材料に、葉書サイズの画像を２つ隣り合わせて配置している例が挙げられる。
【００２３】
〔請求項６の説明〕『前記所定の幅の切断は、露光像に応じて、実行したり実行しなかったりするものであり、
前記露光像に応じて、露光されたプリント用感光材料の所定の幅の切断を実行するために、タイミングを制御することを特徴とする請求項４又は５に記載のプリント生産方法。』により、露光像に応じて、タイミングを制御して所定の幅の切断を実行したり実行しなかったりするので、間違えて所定の幅に切断することがない。
【００２４】
〔請求項７の説明〕『長尺状プリント用感光材料を収容するマガジンからプリント用感光材料を供給するペーパー供給手段、
前記ペーパー供給手段により供給されたプリント用感光材料を所望のプリントサイズに応じて露光する露光手段、
前記ペーパー供給手段により供給されたプリント用感光材料を所望のプリントサイズに応じて所定の長さに切断する所定長切断手段、及び、
前記露光手段により露光され、前記所定長切断手段により切断されたプリント用感光材料を現像処理するペーパー現像処理手段、
を有する露光現像装置において、
前記所望のプリントサイズによっては、前記所定長切断手段が複数枚のプリント分の長さに切断し、
さらに、前記ペーパー現像処理手段により現像処理した後に、所望のプリントサイズの所定の長さに切断する第二所定長切断手段を有することを特徴とする露光現像装置。』により、通常は、プリントサイズに応じて所定の長さに切断するので、アキューム機構は不要であり、プリントサイズによっては、複数枚のプリント分の長さに切断し、現像処理することにより、ペーパー現像処理手段の搬送機構を簡単なものにすることができ、複数枚のプリント分の長さに切断されたプリント用感光材料であっても、現像処理した後に、所望のプリントサイズの所定の長さに切断するので、別の装置でプリントを切断しなくてもよい。
【００２５】
〔請求項８の説明〕『複数枚のプリント分の長さに切断するプリントは全て同一の画像のプリントであることを特徴とする請求項７に記載の露光現像装置。』
により、複数枚のプリント分の長さに切断するプリントは全て同一の画像のプリントであるので、切断した後のプリントが互いに重なりあっても問題がないので、切断後の搬送機構を簡単なものにできる。
【００２６】
なお、同一の画像のプリントとしては、名刺プリントが好ましい。この名刺プリントの幅は９０±３ｍｍであることが、一般の名刺と共通であり、Ｌサイズプリントと共通の幅となり好ましい。また、名刺プリントの長さは５０〜７０ｍｍであることが、一般の名刺又は大名刺と共通の長さとなり好ましい。また、複数枚のプリント分の長さに切断する複数枚としては、後での切断と搬送機構の簡素化の観点から、２〜５枚が好ましい。
【００２７】
〔請求項９の説明〕『前記露光手段がデジタル画像から露光するものであることを特徴とする請求項８に記載の露光現像装置。』
により、複数枚のプリント分の長さに切断するプリントは全て同一の画像の名刺プリントであるので、露光手段で記憶すべきデジタル画像の量は小さく、デジタル画像から露光信号を得るためのタイムラグは最初だけでよく、後は不要であるので、生産性の低下を防止できる。
【００２８】
〔用語その他の説明〕
電子画像は、言うまでもないが、信号により表現される画像のことで、アナログ信号によるアナログ画像であってもよいが、デジタル信号によるデジタル画像である方が、画像処理がしやすく、メモリに記憶でき、また、記憶による画質の劣化がないので、好ましい。なお、先の出願での画像信号は、電子画像のことである。
【００２９】
また、電子画像であってプリントへ画像出力される画像のことを、出力電子画像と呼び、デジタル画像であってプリントへ画像出力される画像のことを、出力デジタル画像と呼ぶ。
【００３０】
撮像は、ＣＣＤ撮像素子などの固体撮像素子による撮像や撮像管による撮像などが挙げられる。また、搬送を副走査とする走査方式により撮像するものとしては、写真原稿に密接するよう設けたＣＣＤラインセンサによる撮像や、一端をアレイ状に並べて写真原稿に密接するよう設けたファイバーの他端に設けた撮像素子による撮像や、写真原稿の像をＣＣＤラインセンサ上にレンズ光学系などにより結像させての撮像や、レーザビームを主走査させての光電変換素子による撮像などが挙げられる。
【００３１】
画像出力は、電子画像からレーザビーム又は発光素子アレイなどを用いて電子写真法によりプリントを得る方法でも、電子画像からインクジェット方式によりプリントを得る方法でもよいが、電子画像からプリント用ハロゲン化銀写真感光材料に露光する露光手段による方法が階調再現性、色調再現性、ＭＴＦなどの観点から好ましい。
【００３２】
デジタル露光とは、デジタル画像から露光することで、デジタル画像から２次元的に配置された発光素子を発光させたり、走査露光させたりする必要があるので、プリント用感光材料に露光する場合（特にハロゲン化銀写真感光材料に露光するような高精細な画像の場合）は、より厳しい精度が要求される。
【００３３】
走査露光としては、露光アレイを用いて、露光アレイに対する感光材料の相対的な移動を副走査とする走査露光、主走査方向に走査するレーザ光を用いて、この主走査方向に対する感光材料の移動を副走査とする走査露光などが挙げられる。また、走査露光は感光材料を相対的に移動させるものであるが、この相対的移動速度は一定の速度であることが好ましい。
【００３４】
露光アレイとしては、ＬＥＤアレイや、一端が発光素子に接続された光ファイバーアレイや、偏平ＣＲＴ、ＶＦＰＨ（Ｖａｃｕｕｍ  Ｆｌｕｏｒｅｓｃｅｎｔ
Ｐｒｉｎｔ  Ｈｅａｄ：真空蛍光露光ヘッド）などが挙げられる。
【００３５】
露光の露光画面とは、画像として露光されている範囲のことで、露光の露光画面の幅とは、画像として露光されている範囲の幅のことである。露光の露光画面の長さとは、画像として露光されている範囲の長さのことである。なお、ここで幅、長さは、後述する定義に基づく。
【００３６】
感光材料には、被写体を撮影し記録するための撮影用感光材料、プリントにするためのプリント用感光材料が挙げられる。また、感光材料には、ジアゾタイプ感光紙、感光性樹脂材料などでもよいが、ハロゲン化銀写真感光材料が好ましい。そして、撮影用ハロゲン化銀写真感光材料としては、一般に、カラーネガフィルム、カラーリバーサルフィルム、モノクロームフィルムと呼ばれるフィルムなどが挙げられる。また、プリント用ハロゲン化銀写真感光材料は、プリント用ハロゲン化銀モノクローム写真感光材料であるモノクローム印画紙、プリント用ハロゲン化銀カラーネガ写真感光材料やプリント用ハロゲン化銀カラーポジ写真感光材料などのカラー印画紙などの印画紙が好ましいが、これに限られず、プリント用ハロゲン化銀カラーネガ写真フィルムやプリント用ハロゲン化銀カラーポジ写真フィルムなどのプリント用写真フィルムなどでもよい。
【００３７】
原稿とは、画像が記録された媒体のことで、写真原稿の他に、磁気画像記録媒体や光磁気画像記録媒体やｐｈｏｔｏ−ＣＤなどのデジタル画像の光学的記録媒体などが挙げられる。また、写真原稿とは、画像が写真として記録された媒体のことで、撮影用感光材料など写真画像が露光された感光材料を現像処理したものや、インクジェット法や感熱転写法などその他の色素像により写真画像が写真として記録された媒体などが挙げられる。
【００３８】
液現像処理は、現像処理のための処理液を用いて感光材料を現像処理することであり、処理液を満たした処理槽に感光材料を浸漬して処理する浸漬処理や感光材料に処理液を噴霧して処理する噴霧処理などが挙げられる。また、処理液に感光材料の処理量に応じて処理剤成分を補充することが好ましい。処理剤成分の補充は、濃縮処理液を希釈して得られた補充液を処理液槽に補充する方法、濃縮処理液を直接処理液槽に補充する方法でもよいが、固体処理剤を直接処理液槽に補充する方法が好ましい。
【００３９】
処理剤は、感光材料を処理する処理液を作成又は処理剤成分の補充のための薬剤であり、液体処理剤と固体処理剤がある。固体処理剤は、固体の処理剤で、錠剤、顆粒、丸薬、粉末、などが挙げられるが、錠剤であることが補充量を制御しやすく、また、固体処理剤の変質を防止しやすいので好ましい。
【００４０】
処理剤容器は、撮影用ハロゲン化銀写真感光材料用処理剤とプリント用ハロゲン化銀写真感光材料用処理剤の両方を収容する処理剤容器であってもよいし、撮影用ハロゲン化銀写真感光材料用処理剤を収容する撮影用ハロゲン化銀写真感光材料用処理剤容器とプリント用ハロゲン化銀写真感光材料用処理剤を収容するプリント用ハロゲン化銀写真感光材料用処理剤収容容器とが別々にあってもよい。
【００４１】
そして、撮影用ハロゲン化銀写真感光材料用処理剤を収容する撮影用ハロゲン化銀写真感光材料用処理剤容器とプリント用ハロゲン化銀写真感光材料用処理剤を収容するプリント用ハロゲン化銀写真感光材料用処理剤収容容器とが別々にあると、撮影用ハロゲン化銀写真感光材料とプリント用ハロゲン化銀写真感光材料の処理量の比率が変動しても、撮影用ハロゲン化銀写真感光材料用処理剤とプリント用ハロゲン化銀写真感光材料用処理剤とをそれぞれ別々に交換・セットすることができるので、どちらか１方が先に、交換・セットしなければならなくなっても、残っている方の処理剤を無駄にすることがない。また、撮影用ハロゲン化銀写真感光材料用処理剤収容容器とプリント用ハロゲン化銀写真感光材料用処理剤収容容器とが別々であっても、１ケ所にセットすることができる場合、どの処理剤が無くなりそうか一見して判る。
【００４２】
フィルム現像処理手段は、撮影用感光材料を現像処理するための手段であればよく、撮影用感光材料としてフィルムには限られず、例えば、紙支持体の撮影用感光材料やガラス支持体の撮影用感光材料などを現像処理する手段であってもよい。そして、ペーパー現像処理手段はプリント用感光材料を現像処理するための手段であればよく、プリント用感光材料として印画紙には限られず、例えば、フィルム支持体のプリント用感光材料やガラス支持体のプリント用感光材料などを現像処理する手段であってもよい。
【００４３】
プリント用感光材料を現像処理する方法としては、現像処理液を用いる湿式現像処理や、熱により現像処理する熱現像処理や、現像処理成分を含有したシートを圧着させて現像処理する現像処理などが挙げられる。
【００４４】
フィルム現像処理手段や撮像手段や巻取手段や収容手段や露光手段やペーパー現像処理手段や供給手段の搬送速度は周知の方法で測定することができ、また、これらの搬送速度は、通常略正規分布でバラツクので、搬送速度をランダムな時刻に多数測定してその平均値と標準偏差を求めることで、９９．５％以上の確度で±何％以内にあるか判る。ちなみに、通常の正規分布表をみれば、下記の式で、９９．５％以上の確度で±Ａ％以内にあることが判る。
【００４５】
Ａ＝２．８１×標準偏差／平均×１００
プリント用感光材料としては、プリント用ハロゲン化銀写真感光材料であることが好ましいが、これに限られない。そして、プリント用ハロゲン化銀写真感光材料としては、モノクローム印画紙、カラー印画紙などの印画紙やプリント用写真フイルムなどが挙げられる。
【００４６】
装置本体を取り囲むように設けられた外枠は、一体成形されていてもよいし、複数の枠からなっていてもよいし、外枠の一部がソータなど他の機能を有するものであってもよい。また、外枠は装置本体を取り囲むように設けられていればよく、装置本体の一部が外から見えるようになっていてもよく、また、この装置が壁などに略接するように設置するものであれば、その壁などが外枠の一部を構成することになり、装置としてその壁面側に外枠を有していなくてもよい。
【００４７】
ある部材が装置本体の表面にあるとは、当該部材が、装置本体の他の部材を取り外さなくても、装置本体の表側にあることである。通常、これにより、装置本体の他の部材を取り外す必要なく、外から手動で目的の動作ができる。例えば、交換又はセットが目的の動作であれば、装置本体の他の部材を取り外す必要なく、外から手動で交換又はセットができ、メンテナンスが目的の動作であれば、装置本体の他の部材を取り外す必要なく、外から手動でメンテナンスができる。
【００４８】
プリント用感光材料や印画紙やプリントに関して、幅とは、マガジンに収容されている長尺状プリント用感光材料の幅方向の長さのことである。従って、例えば、図３７では、葉書サイズプリントの幅は１０５ｍｍであり、名刺サイズプリント（８７ｍｍ×５５ｍｍ）や大名刺サイズプリント（８７ｍｍ×６５ｍｍ）の幅は８７ｍｍである。
【００４９】
プリント用感光材料や印画紙やプリントに関して、長さとは、マガジンに収容されている長尺状プリント用感光材料の長尺方向の長さのことである。従って、例えば、図３７では、葉書サイズプリントの長さは１４８ｍｍであり、名刺サイズプリント（８７ｍｍ×５５ｍｍ）の長さは５５ｍｍである。
【００５０】
円筒状支持体は、少なくとも感光材料を支持する領域が円筒面で形成されている支持体であるが、円筒面の一部に溝や孔や穴などが設けられていてもよい。また、単に感光材料を支持するものであってもよいし、円筒面の一部に溝や孔や穴などを設け、真空に引くことで感光材料を密着させる作用を持つものであってもよいし、また、表面をゴムなどで形成することでしっかりと支持するようなものであってもよい。
【００５１】
オーダ情報は、オーダを識別するための識別情報で、オーダ名やオーダ記号（数字・文字・記号などを含む）やオーダ受付時刻やそのオーダの収容容器の識別記号などの情報が挙げられる。
【００５２】
補正することが望ましい撮像手段の特性には、シェーディングパターンの補正、感度特性、混色の影響、画素位置のズレ、シャープネスの不足・不良などが挙げられ、これらは、撮像手段の各々によって異なる。
【００５３】
補正することが望ましい感光材料の種類による撮像時の特性には、階調特性、混色の影響などが挙げられる。また、補正することが望ましいベース濃度による撮像時の特性は、撮像感度、階調特性などが挙げられるが、これは感材種に応じて補正することが好ましい。
【００５４】
補正することが望ましい露光手段の特性には、基準露光条件によって補正できる感度特性、階調特性だけでなく、シェーディングパターン、シャープネス不足・不良などが挙げられ、これらは、撮像手段の各々によって異なる。
【００５５】
また、現像処理状態の補正は、所定期間毎に基準露光条件を設定することにより補正することによってもよいが、処理液のｐＨや濃度やｐＡｇなどの処理液特性や処理液温度などを検出して、これらの影響の補正を行ってもよい。
【００５６】
【発明の実施の形態】
以下に本発明に関する具体例の一例を実施形態として示すが、本発明はこれらに限定されない。また、実施形態には、用語等に対する断定的な表現があるが、本発明の好ましい例を挙げているもので、本発明の用語の意義や技術的範囲を限定するものではない。
【００５７】
実施形態１
本実施形態の画像処理システムは、エンドユーザが操作者として、エンドユーザが撮影した長手方向に複数の駒が記録されたＪ１３５規格の撮影用長尺状ハロゲン化銀カラーネガ写真感光フィルム（以下、フィルムという）を収容した撮影用ハロゲン化銀カラーネガ写真感光フィルム収容容器（以下、パトローネという）を、所定位置にセットするだけで、セットされたパトローネからフィルムを自動的に送り出し、フィルム現像処理し、得られたフィルムを撮像しデジタル画像を得て、複数台ある画像処理装置の中のいずれかの画像処理装置を特定し、特定された画像処理装置で、エンドユーザである操作者が指示入力部から指示した内容に従って、画像を表示し、デジタル画像の画像処理をして、出力デジタル画像を得て、露光現像装置が、ロール状に巻かれたプリント用ハロゲン化銀カラーネガ写真感光材料である印画紙（以下、印画紙という）をマガジンから供給し、所定の長さに切断後、得られた出力デジタル画像から露光し、ペーパー現像処理してプリントにするシステムである。これにより、従来、撮影したフィルムをラボ業者に出し現像してもらってからでないと、エンドユーザがフィルムで撮影した画像の画像処理は出来なかったが、本実施形態により、撮影したフィルムをラボ業者に出し現像してもらう手間なく、エンドユーザがフィルムで撮影した画像の画像処理ができるようになる。以下、本実施形態の装置を詳しく説明する。
【００５８】
本実施形態の画像処理システムは、図１の全体構成図、図２の全体ブロック図に示すように、パトローネに収容されているフィルムをパトローネから送り出すフィルム送出部６１０と、送り出されたフィルムを浸漬現像処理して写真原稿にするフィルム現像処理部１と、この写真原稿を撮像してデジタル画像を得る撮像部４００と、写真原稿を巻き取り写真原稿収容容器に収容して写真原稿収容体にする巻取部１６０や撮像部４００を収容し、写真原稿の搬送などする撮像部収容体１００と、操作者がセットした写真原稿収容体から写真原稿を送り出す写真原稿送出部６３０と、写真原稿収容容器を収容する写真原稿収容容器収容部６２０と、撮像部４００からのデジタル画像から画像処理して出力デジタル画像を出力する画像処理装置Ａ〜Ｃと、ペーパー供給部２５０とペーパー供給部２５０から供給された印画紙に画像処理装置Ａ〜Ｃから出力された出力デジタル画像から印画紙に露光する露光部２１０とを有する露光部収容体２００と、露光部収容体２００からの印画紙を浸漬現像処理しプリントＰにするペーパー現像処理部４と、ペーパー現像処理部４で浸漬現像処理され得たプリントＰを場合によって後処理する後処理部５５０と、写真原稿収容体とプリントＰをエンドユーザ毎に仕分けするソータ７００と、フィルム現像処理部１とペーパー現像処理部４から出る廃液を処理する廃液処理部８００と、その指示入力部９９０により入力された指示に基づいて、全体を制御する全体制御装置９００と、を有する画像処理システムである。
【００５９】
これらの装置からなる本画像処理システムは、また、フィルム現像処理部１と撮像部収容体１００と露光部収容体２００とペーパー現像処理部４を有する装置本体６６０と、フィルム送出部６１０と写真原稿送出部６３０と写真原稿収容容器収容部６２０を有し装置本体を囲む外枠６００と、ソータ７００と、外枠の上に設置された全体制御装置３００と、画像処理装置Ａ〜Ｃと、それらを結ぶラインとで構成されている。上述の各部は各々制御ラインで結ばれており、また、画像ラインが撮像部４００、露光部２１０、全体制御装置３００、画像処理装置Ａ〜Ｃの間で結ばれている。図１でラインは、この画像ラインと制御ラインを示し、画像ラインと制御ラインが１つの保護シールドで囲われて装置本体と画像処理装置Ａ〜Ｃの間で結ばれている。
【００６０】
そして、全体制御装置３００は、オーダ毎に画像処理する画像処理装置を特定する。そして、全体制御装置３００は、撮像部４００で撮像しデジタル化し撮像部４００の特性の影響などの補正をして得られたデジタル画像を、特定された画像処理装置Ａ〜Ｃに画像ラインを通じて送らせる。そして、全体制御装置３００は、画像処理装置Ａ〜Ｃで画像処理して得られた出力デジタル画像を画像ラインを通じて露光部２１０に送らせる。そして、全体制御装置３００は、露光部２１０で送られた出力デジタル画像から露光部２１０の特性の影響などを補正して印画紙に露光させる。また、画像処理装置Ａ〜Ｃ及び全体制御装置３００は、本実施形態では、互いに置換可能な装置である。
【００６１】
全体制御装置のブロック図である図３に示すように、全体制御装置３００は、撮像部４００から送信されたデジタル画像を受信する画像入力Ｉ／Ｆ３２０と、画像入力Ｉ／Ｆが受信したデジタル画像を記憶する入力画像メモリ３３１と、入力画像メモリ３３１に記憶されたデジタル画像からシミュレーション画像を作成したり、画像処理装置全体を制御したりする画像処理制御部３３３と、画像処理制御部３３３で作成されたデジタル画像であるシミュレーション画像を記憶するシミュレーション画像メモリ３７１と、シミュレーション画像メモリ３７１に記憶されているシミュレーション画像から表示画像を作成し、モニタに表示させる表示制御部３７３と、表示制御部３７３からの信号により、表示画像を表示するモニタ３１０と、表示画像、画像処理及び画像出力に関する指示を入力する指示入力部３９０と、入力画像メモリ３３１に記憶されたデジタル画像から画像処理を実行する画像処理実行部３３５と、画像処理実行部３３５により画像処理された出力画像を記憶する出力画像メモリ３３７と、出力画像メモリ３３７に記憶されたデジタル画像である出力画像を送信する画像出力Ｉ／Ｆ３４０と、他の装置からの制御情報を入出力する制御Ｉ／Ｆ３５０と、制御Ｉ／Ｆ３５０を通して他の装置や本装置を制御する全体制御部３６３と、操作者に対する様々な指示画面を記憶する制御画像メモリ３６１を有する。
【００６２】
また、全体制御装置３００は、画像処理装置Ａ〜Ｃと相互置換可能な装置であるが、画像処理装置Ａ〜Ｃと相違して、画像処理実行部３３５及び出力画像メモリ３３７が機能を停止している。実際には、全体制御装置３００では、出力画像メモリ３３７に相当するメモリも入力画像メモリ３３１として使用され、撮像部４００の記憶容量が不足する場合に備えている。また、画像処理装置Ａ〜Ｃと全体制御装置３００とで同じＣＰＵを用いて走らせるプログラムを変えることによって、同じＣＰＵを、画像処理装置Ａ〜Ｃでは画像処理実行部３３５として用い、全体制御装置３００では全体制御部３６３として用いることにより、ＣＰＵの無駄を省いている。
【００６３】
次に、本画像処理システムのフィルムから見たフローを、本画像処理システムのフィルムから見たフロー図である図４に基づいて、説明する。先ず、Ｓ２１で、パトローネがフィルム送出部６１０の挿入口６１１からセットされる。すると、Ｓ２２で、フィルム送出部６１０がセットされたパトローネからフィルムを送り出す。すると、Ｓ２３で、フィルム現像処理部１がフィルム送出部６１０から送り出したフィルムを、パーフォレーション搬送しながら現像処理し、写真原稿にして、撮像部収容体１００に送る。すると、Ｓ２４で、撮像部４００はフィルム現像処理部１で得られ撮像部収容体１００に送られた写真原稿を撮像する。すると、Ｓ２５で、撮像部収容体１００の巻取部１６０は、写真原稿を写真原稿収容容器に収容する写真原稿収容手段であり、撮像部４００で撮像された写真原稿を巻き取り、写真原稿収容容器５１０に収容して写真原稿収容体にする。すると、Ｓ２６で、撮像部収容体１００の巻取部１６０（写真原稿収容手段）で得られた写真原稿収容体５１０をソータ７００に送り、ソータ７００は送られた写真原稿収容体５１０をオーダに応じたソータビンにソートする。すると、Ｓ２７で、そのオーダに対応したプリントが全てそのオーダに対応するソータビンに収容されると、ソータ７００のソータビンから写真原稿収容体をそのオーダに対応したプリントとともに取り出せるようになる。そして、エンドユーザがソータ７００のソータビンから写真原稿収容体５１０を取り出す。
【００６４】
次に、フィルム送出部６１０の挿入口６１１の構造について、図５〜図８に基づいて、説明する。なお、図５の（Ａ）に、フィルム送出部６１０の挿入口６１１の正面図を、（Ｂ）にフィルム送出部６１０の挿入口６１１の側面断面図〔（Ａ）のＸ−Ｘ’断面図〕を示す。また、図６に、フィルム送出部６１０の挿入口６１１の図５（Ａ）に示すＺ−Ｚ’面の断面斜視図を示す。また、図７に、フィルム送出部６１０の挿入口６１１の図５（Ａ）に示すＸ−Ｘ’面の断面斜視図を示す。また、図８に、フィルム送出部６１０の挿入口６１１の図５（Ｂ）のＹ−Ｙ’面の断面斜視図を示す。また、図５の（Ａ）に、セットされたパトローネＰＡの位置を一点鎖線で示す。
【００６５】
フィルム送出部６１０の挿入口６１１は、パトローネＰＡの中心軸を所定のセット位置ＳＰの軸に合わせる作用とパトローネのフィルム出入口の出っ張りＰＤを所定の向きに合わせる作用とがある斜面群からなる導入部ＩＰにより、挿入されるパトローネＰＡを導き、挿入されるパトローネＰＡの中心軸を所定の位置の軸に合わせ、その挿入されるパトローネＰＡのフィルム出入口の出っ張りＰＤを所定の位置に合わせて所定のセット位置ＳＰにセットされることになる。
【００６６】
このセット位置ＳＰにあるパトローネＰＡは、このパトローネＰＡの胴体を保持する円筒部６１８と、このパトローネＰＡのフィルム出入口の出っ張りＰＤを保持する溝部６１７と、パトローネＰＡのフィルム出入口の出っ張りＰＤと胴体との間の溝を規制する突条部６１９とにより、位置決めされて保持される。円筒部６１８の半径はパトローネＰＡの胴体の円筒より若干広い円筒面と一致して、本実施形態では後述するように１３．０である
また、溝部６１７の溝の厚さＴＤ（ｍｍ）はパトローネＰＡのフィルム出入口の出っ張りＰＤの厚さＴＰ（ｍｍ）と以下の式に示す関係にある。
【００６７】
ＴＰ  ＜  ＴＤ  ＜  ＴＰ＋２
なお、ＴＤ  ＜  ＴＰ＋２であることにより、後述するように、突条部６１９がパトローネＰＡの長軸ハブ側を奥にしての挿入を阻止でき、以下に示す式を満たすことがさらに好ましい。
【００６８】
ＴＤ  ＜  ＴＰ＋１
また、溝部６１７の深さＤＤ（ｍｍ）は、パトローネＰＡのフィルム出入口の出っ張りＰＤの突出長さＰＰ（ｍｍ）と以下の式に示す関係にある。
【００６９】
ＰＰ＋１  ＜  ＤＤ
そして、これら円筒部６１８と溝部６１７と突条部６１９からなるセット位置ＳＰの長さＬＳＰ（ｍｍ）はパトローネＰＡの長さよりも長い。以下、このセット位置ＳＰの最出口側を構成する円筒部６１８の円を内口円６１０Ｂという。
【００７０】
この導入部ＩＰは、外口円６１０Ａを底にする円筒の側面と一致する第一面６１２と、この第一面６１２と隣接し、下記式〔１〕で示される第二面６１３と、第一面６１２と第二面６１３と隣接し、同じく下記式〔２〕で示される第三面６１４と、第二面６１３と第三面６１４と隣接し、点Ｐ１を頂点とする円錐面（式〔３〕で示される。）と一致する第四面６１５と、円筒部６１８の円筒面と一致し円筒部６１８から連続する面である第五面６１６とからなる。なお、点Ｐ０は内口円６１０Ｂより奥にあり、円筒部６１８の中心軸上にある。また、点Ｐ１は、この内口円６１０Ｂよりも外側にあり、円筒部６１８の中心軸上にある。なお、式〔１〕〜〔３〕の原点は図５の点Ｐ０である。
【００７１】
式〔１〕
Ｙ  ＝  Ａ×θ＋Ｂ×Ｒ
式〔２〕
Ｙ  ＝−Ａ×θ＋Ｂ×Ｒ
式〔３〕
Ｙ  ＝  Ｂ×Ｒ＋Ｌ０１
なお、Ｙは、点Ｐ０からの「第二面６１３、第三面６１４上の点」の「円筒部６１８の中心軸」の方向の位置（ｍｍ）で、Ｒは、「第二面６１３、第三面６１４上の点」の「円筒部６１８の中心軸」からの距離（ｍｍ）で、θは、「第二面６１３、第三面６１４上の点」の「円筒部６１８の中心軸」を中心軸とする「第二面６１３と第三面６１４との交線」からの角度（ラジアン）で、Ａは係数（ｍｍ／ラジアン）で、Ｂは係数（ｍｍ／ｍｍ）である。そして、Ｌ０１は、点Ｐ０と点Ｐ１との距離（ｍｍ）である。
【００７２】
なお、ＪＩＳ１３５規格パトローネの場合、係数Ａは、パトローネに無理な力をかけずにスムーズに導くために７以上が好ましく、１０以上がより好ましい、また、操作者が挿入するときのフィルム出入口の出っ張りＰＤの位置の許容範囲を広くしつつ、導入部ＩＰの長さが長くなりすぎないようにするために３０以下が好ましく、２０以下がより好ましい。また、係数Ｂは、パトローネに無理な力をかけずにスムーズに導くために０．５以上が好ましく、０．７以上がより好ましい。また、係数Ｂは、操作者が挿入するときのパトローネの位置の許容範囲を広くしつつ、導入部ＩＰの長さが長くなりすぎないようにするために３以下が好ましく、２以下がより好ましい。また、Ｌ０１は、パトローネに無理な力をかけずにスムーズに導くために５以上が好ましく、１０以上がより好ましい。また、Ｌ０１は、導入部ＩＰの長さが長くなりすぎないようにするために３０以下が好ましく、２０以下がより好ましい。また、内口円の半径（ｍｍ）は、１２．５以上であるが、１３．５以下、特に１３．０以下であることがセットしたときのパトローネがガタつかず好ましい。また、外口円の半径（ｍｍ）は、１７以上、特に１９以上であることがフィルム出入口の出っ張りを所定の向きに導くのによく、３０以下、特に２５以下であることが、パトローネが変な向きに導入されたりしないので好ましい。そして、本実施形態ではＡは１２．５、Ｂは１．０、Ｌ０１は１５．０、内口円の半径（ｍｍ）は１３．０、外口円の半径（ｍｍ）は２２である。
【００７３】
そして、エンドユーザは、パトローネＰＡのスプールの長軸ハブＨＬを持って、パトローネＰＡのフィルム出入口の出っ張りＰＤが上側になるように挿入する。その時、もし、エンドユーザが持っているパトローネＰＡの中心軸が円筒部６１８の中心軸よりも下側にあったら、第四面６１５によりパトローネＰＡが規制され、パトローネＰＡを奥に進めるに従い、パトローネＰＡの中心軸が円筒部６１８の中心軸と一致するように導かれる。また、もし、エンドユーザが持っているパトローネＰＡの中心軸が円筒部６１８の中心軸よりも図５の（Ａ）で、左上側にあったら、第二面６１３によりパトローネＰＡが規制され、パトローネＰＡを奥に進めるに従い、パトローネＰＡの中心軸が円筒部６１８の中心軸と一致するように導かれる。また、もし、エンドユーザが持っているパトローネＰＡの中心軸が円筒部６１８の中心軸よりも、図５の（Ａ）で、右上側にあったら、第三面６１４によりパトローネＰＡが規制され、パトローネＰＡを奥に進めるに従い、パトローネＰＡの中心軸が円筒部６１８の中心軸と一致するように導かれる。
【００７４】
また、パトローネＰＡのフィルム出入口の出っ張りＰＤが所定の向きより、図５の（Ａ）で、左側にあったら、パトローネＰＡのフィルム出入口の出っ張りＰＤが第二面６１３により規制され、パトローネＰＡのフィルム出入口の出っ張りＰＤが所定の位置と一致するように導かれる。また、パトローネＰＡのフィルム出入口の出っ張りＰＤが所定の向きより、図５の（Ａ）で、右側にあったら、パトローネＰＡのフィルム出入口の出っ張りＰＤが第二面６１３により規制され、パトローネＰＡのフィルム出入口の出っ張りＰＤが所定の向きと一致するように導かれる。
【００７５】
なお、第四面の存在をなくし、第二面と第三面のみにすると、パトローネＰＡのフィルム出入口の出っ張りＰＤが真下に向いていても所定の向きに導ける。だが、外口円６１０Ａから内口円６１０Ｂまでの距離を短くするために、また、真上にパトローネＰＡのフィルム出入口の出っ張りＰＤを入れるのに、パトローネＰＡのフィルム出入口の出っ張りＰＤを下側に向けるエンドユーザは少なく、問題となりにくいので、第四面の存在がある方が好ましい。
【００７６】
また、エンドユーザが長軸ハブを持って挿入せず、長軸ハブを奥側にしてセットしようとすると、パトローネＰＡのフィルム出入口の出っ張りＰＤと胴体との間の溝を規制する突条部６１９が、パトローネＰＡのフィルム出入口の出っ張りＰＤを止めてパトローネＰＡの内口円６１０Ｂより内側への挿入を阻止するので、誤って長軸ハブを奥側にしてセットしようとすることを防止できる。
【００７７】
次に、パトローネをセットさせて、パトローネから取り出したフィルムとオーダ名とを対応付ける手順について、フィルムとオーダ名とを対応付けるまでのフローを示すフロー図である図９に基づいて、説明する。まず、Ｓ３１で、全体制御装置３００のモニタ３１０がパトローネ挿入可能であることを表示する。そして、Ｓ３２で、フィルム送出部６１０にパトローネが挿入されセットされたか否か判定する。否であればＳ３２に戻る。そして、モニタ３１０がパトローネ挿入可能であることを表示している時に、フィルム送出部６１０にパトローネが挿入されセットされる（Ｓ３２でＹＥＳである）と、Ｓ３３に進み、フィルム送出部６１０からパトローネが挿入されセットされたことを制御Ｉ／Ｆ３５０を通して全体制御部３６３に伝えられる。すると、全体制御部３６３は、表示制御部３７３にモニタ３１０にオーダ名を入力するよう操作者に指示する画面を表示させるように指示し、モニタ３１０がオーダ名を入力するよう操作者に指示する画面を表示する。そして、Ｓ３４で、操作者がオーダ名（オーダ情報）を入力したか否か判定する。否であればＳ３４に戻る。そして、操作者がオーダ名を指示入力部３９０で入力する（Ｓ３４でＹＥＳである）と、Ｓ３５に進み、全体制御部３６３はそのパトローネから取り出されたフィルムとオーダ名（オーダ情報）を対応付ける。
【００７８】
そして、フィルム送出部６１０のパトローネからフィルムを取り出してから、フィルムをフィルム現像処理部１を通して、フィルムの先端が撮像部４００に到達するまでの時間は、フィルムを所定の搬送速度で搬送するので、略一定である。また、フィルム現像処理部１はフィルム送出部６１０に挿入されたフィルムの順に現像処理して、撮像部４００に供給するものである。従って、フィルム送出部６１０からフィルムを送出させてから所定時間経過した時に、そのフィルムを現像処理して得られた写真原稿を撮像部４００で撮像し始めることを利用して、全体制御装置３００が、フィルム送出部６１０からフィルムを送出させてから所定時間経過した時に撮像部４００で撮像し始めて得られたデジタル画像とそのフィルムのオーダ名（オーダ情報）とを対応付けることができる。また、フィルム送出部６１０から送出したフィルムの順番に、撮像部４００がそのフィルムから得られた写真原稿を撮像することを利用して、全体制御装置３００が、フィルム送出部６１０から送出したフィルムの順番とオーダ名（オーダ情報）とを対応付けて記憶しておき、フィルム送出部６１０から送出したフィルムの順番に、撮像部４００が撮像して得られたデジタル画像とそのフィルムのオーダ名（オーダ情報）とを対応付けることができる。上述のようにして、フィルムを現像処理して得られた写真原稿から得られたデジタル画像とオーダ名（オーダ情報）とを、簡単に対応付けることができることは言うまでもない。
【００７９】
そして、以下、撮像部４００が写真原稿を撮像して得られたデジタル画像を画像処理する画像処理装置を、全体制御装置３００の全体制御部３６３が、３つの画像処理装置Ａ〜Ｃの中から特定する手順を、図１０に基づいて、説明する。なお、「撮像部４００が写真原稿を撮像して得られたデジタル画像」を画像処理する画像処理装置は、１オーダの「撮像部４００が写真原稿を撮像して得られたデジタル画像」毎に特定することは言うまでもない。図１０は、「撮像部４００が写真原稿を撮像して得られたデジタル画像」を画像処理する画像処理装置を、全体制御部３６３が３つの画像処理装置Ａ〜Ｃの中から特定するフローを示すフロー図である。
【００８０】
Ｓ４１で、フィルム送出部６１０がフィルムを送出し始めると、フィルム送出部６１０から撮像開始したことを制御Ｉ／Ｆ３５０を通して全体制御部３６３に伝えられる。また、操作者が写真原稿送出部６３０にセットした写真原稿収容体から送出された写真原稿を撮像部４００が撮像し始めると、撮像部４００から撮像開始したことを制御Ｉ／Ｆ３５０を通して全体制御部３６３に伝えられる。そして、これを契機に画像処理装置の特定のフローが開始される。すると、Ｓ４２で、全体制御部３６３は各画像処理装置Ａ〜Ｃの状態情報を収集し、Ｓ４３に進む。具体的には、全体制御部３６３は制御Ｉ／Ｆ３５０を通して各画像処理装置にそれ自体の状態情報を送信するよう要求する。そして、各画像処理装置が状態情報を制御Ｉ／Ｆ３５０を通して全体制御部３６３に伝える。ここで、状態情報としては、画像処理装置が使用可能か否かの情報と、現在使用中であれば、前記画像処理装置が後どの程度で別の作業者が使用可能となるかの情報である。
【００８１】
そして、Ｓ４３で、画像処理装置のいずれかが使用可能であるか判断する。そして、もし、画像処理装置のいずれかが使用可能であれば（Ｓ４３でＹＥＳであれば）、Ｓ４４に進み、全体制御部３６３は使用可能な画像処理装置の中の１つを特定する。
【００８２】
そして、Ｓ４５で、モニタ３１０に特定された画像処理装置に向かうようオーダ名と共に表示して操作者に指示する画面を表示させるように表示制御部３７３に指示し、モニタ３１０が、特定された画像処理装置に向かうようオーダ名と共に表示して操作者に指示する画面を表示する。ここで、同時に、特定された画像処理装置で操作できるまでの時間又は撮像終了までの時間も表示することが好ましい。なお、特定された画像処理装置で操作できるまでの時間は、現像処理時間と、フィルムの長さから推定される撮像時間と、撮像部及び画像処理装置での画像処理に要する時間と、撮像部及び画像処理装置間の転送時間とから予測することができる。そして、特定された画像処理装置に特定されたことを伝えて、Ｓ４６に進む。
【００８３】
そして、Ｓ４６で、特定された画像処理装置に、その装置が特定されたことをオーダ名と共に表示して操作者に指示する画面を表示させるように指示し、その特定された画像処理装置のモニタ９１０が、その画像処理装置自体が特定されたことをオーダ名と共に操作者に示す画面を表示する。
【００８４】
また、Ｓ４３の判断結果により、もし、いずれの画像処理装置も使用不可能であれば（Ｓ４３でＮＯであれば）、Ｓ４７に進む。Ｓ４７で、全体制御部３６３は、画像処理装置のいずれかが、待時間（別の作業者が使用可能となるまでの時間）が判るものであるか否かを判断する。そして、画像処理装置のいずれかが、待時間（別の作業者が使用可能となるまでの時間）が判るものであれば（Ｓ４７でＹＥＳ）、Ｓ４８に進む。Ｓ４８で、全体制御部３６３は、最も短い時間で別の作業者が使用可能となる画像処理装置（最も短い待時間の画像処理装置）を、このオーダの電子画像を画像処理する画像処理装置として特定する。そして、Ｓ４９で、特定された画像処理装置に、待時間後（使用可能となる時）に向かうよう、オーダ名と共に表示して操作者に指示する画面を、モニタ３１０に表示させるように表示制御部３７３に指示する。すると、モニタ３１０が、特定された画像処理装置に、待時間後（画像処理装置が使用可能となる時）に向かうよう、オーダ名と共に表示して操作者に指示する画面を、表示する。また、特定された画像処理装置に次の操作者が設定されたことを伝え、Ｓ５０に進む。
【００８５】
そして、Ｓ５０で、特定された画像処理装置が使用可能な状態であるか否か判断する。否であればＳ５０に戻る。そして、特定された画像処理装置に使用可能となると（Ｓ５０で、ＹＥＳであれば）、Ｓ４６に進む。
【００８６】
そして、Ｓ４６で、特定された画像処理装置に、その装置が特定されたことをオーダ名と共に表示して操作者に指示する画面を表示させるように指示し、その特定された画像処理装置のモニタ９１０が、その画像処理装置自体が特定されたことをオーダ名と共に操作者に示す画面を表示する。
【００８７】
また、Ｓ４７の判断の結果により、もし、いずれの画像処理装置も使用不可能で、後どの程度で別の作業者が使用可能となるか判らない場合（Ｓ４７でＮＯである場合）、Ｓ５１に進む。そして、Ｓ５１で、オーダ名と共に表示して操作者に暫く待つように指示する画面をモニタ３１０に表示させるように表示制御部３７３に指示する。そして、モニタ３１０が、オーダ名と共に表示して操作者に暫く待つように指示する画面を表示する。そして、所定時間経過後（Ｓ５２の後）、Ｓ４２に戻る。このようにして、所定時間毎に、画像処理装置を特定できるまで、上述のルーチンを繰り返す。
【００８８】
なお、操作者の誘導のために、各画像処理装置に色を割り当て、床に各画像処理装置への各色の誘導ラインを設け、特定された画像処理装置の色を画面に表示させ、また、特定された画像処理装置の色の誘導ラインを光らせるようにしてもよい。
【００８９】
そして、撮像部４００から撮像が完了したことが、状態情報を制御Ｉ／Ｆ３５０を通して全体制御部３６３に伝えられると、撮像部４００にデジタル画像を送信し、特定した画像処理装置に画像入力Ｉ／Ｆ３２０から受信するよう制御する。このようにして、撮像部４００から特定された画像処理装置にデジタル画像が送信される。また、同時に、特定した画像処理装置に制御Ｉ／Ｆ３５０からオーダ情報を受信させ、オーダ情報を得させる。このようにして、撮像部４００から特定された画像処理装置にデジタル画像が送信される。
【００９０】
上述のように、Ｓ４１で、撮像部４００でフィルムを撮像し始めることにより画像処理装置を特定するので、オーダ毎に得られたデジタル画像を画像処理するための画像処理装置を特定することになることは言うまでもない。
【００９１】
次に、画像処理装置Ａ〜Ｃのモニタ９１０Ａ〜Ｃと全体制御装置３００のモニタ３１０の設置角度φと、画像処理装置Ａ〜Ｃを乗せている外枠Ａ〜Ｃの前縁とモニタ９１０Ａ〜Ｃの中心位置との水平方向距離及び画像制御装置３００を乗せている外枠６００の前縁とモニタ３１０との水平方向距離Ｌ１と、モニタ９１０Ａ〜Ｃ、３１０の表示画面のサイズ（対角線長さ）Ｌ２と、中心位置の高さＬ３について、モニタの視認性の説明図である図１１と、画像処理システム本体の側断面図である図１２と、図１２のＭＰＰ方向からみたモニタ９１０Ａ〜Ｃ、３１０の正面図である図１３に基づいて、説明する。
【００９２】
画像処理装置Ａ〜Ｃのモニタ９１０Ａ〜Ｃ及び全体制御装置３００のモニタ３１０の設置角度φは、モニタ３１０の表示画面に対する法線の鉛直線に対する角度で、３５度以下、特に３０度以下、さらに２５度以下で、遠くにいる人Ｗ３からは見えにくく好ましい。また、０度以上であればよいが、特に１０度以上、さらに２０度以上が、近くで操作する人Ｗ１やその友人Ｗ２が、充分視認できるので好ましい。本実施形態では、いずれのモニタ３１０、９１０Ａ〜Ｃとも２５度になっている。
【００９３】
また、画像処理装置Ａ〜Ｃを乗せている外枠Ａ〜Ｃの前縁とモニタ９１０Ａ〜Ｃの中心位置との水平方向距離及び全体制御装置３００を乗せている外枠６００の前縁とモニタ３１０との水平方向距離Ｌ１は、２０ｃｍ以上、特に２５ｃｍ以上、さらに３０ｃｍ以上が表示画面を充分に大きなものにしつつ、表示画面を良好に視認できるようにしつつ、操作をしやすい位置にジョィスティック３９０、９９０Ａ〜Ｃを設けることができるので、好ましい。また、８０ｃｍ以下、特に６０ｃｍ以下、さらに５０ｃｍ以下であることが、表示画面を充分に近くから見ることができ、表示画面を良好に視認できるので、好ましい。本実施形態では、いずれのモニタ３１０、９１０Ａ〜Ｃとも３５ｃｍになっている。
【００９４】
また、モニタ９１０Ａ〜Ｃ、３１０の表示画面のサイズ（対角線長さ）Ｌ２は、４０ｃｍ以上、特に５０ｃｍ以上、さらに６０ｃｍ以上が表示画面を充分に大きく、表示画面を良好に視認できる。そして、キャビネサイズ程度のプリントサイズまで充分に余裕を持って表示できるので、不特定多数のエンドユーザが操作者となっても、実感を持って操作できるので、好ましい。また、９０ｃｍ以下、特に７０ｃｍ以下、さらに、６０ｃｍ以下であることが、表示画面の大きさが大きくなりすぎず、また、表示画面の歪曲を小さくでき、表示画面を良好に視認でき、また、操作者の写真画像の表示画面を遠くにいる人Ｗ３から見られにくいので、好ましい。本実施形態では、いずれのモニタ３１０、９１０Ａ〜Ｃとも５０ｃｍになっている。そして、いずれのモニタ３１０、９１０Ａ〜Ｃとも縦が３０ｃｍで横が４０ｃｍである。
【００９５】
また、画像処理装置Ａ〜Ｃのモニタ９１０Ａ〜Ｃ及び全体制御装置３００のモニタ３１０の中心位置の高さＬ３は、７０ｃｍ以上、特に８０ｃｍ以上、さらに９０ｃｍ以上であることが、近くで操作する人Ｗ１やその友人Ｗ２が表示画面を充分近くに視認でき、かつ、遠くにいる人Ｗ３からは見えにくくでき、好ましく、また、１２０ｃｍ以下、特に、１１０ｃｍ以下、さらに１００ｃｍ以下であることにより、表示画面を斜めから見ている感覚が小さく、良好に表示画面を見ることができ、また、表示画面を充分に離して見ることができ、表示画面を良好に視認でき好ましい。本実施形態では、いずれのモニタ３１０、９１０Ａ〜Ｃとも９５ｃｍになっている。
【００９６】
なお、本実施形態のいずれのモニタ３１０、９１０Ａ〜Ｃとも式（１１２）を満たしていることは言うまでもない。また、画像処理装置Ａ〜Ｃのモニタ９１０Ａ〜Ｃと全体制御装置３００のモニタ３１０のこれらの値は、例えば、ＣＲＴ、液晶などといったモニタを構成するものの良好視認角度ψや、設置する地域の嗜好や標準的な目の高さなどから、上述の範囲の中から適切な値を定めることが好ましい。
【００９７】
図１４は、本実施形態の画像処理システムの装置本体６６０を収容する外枠６００と全体制御装置３００とソータ７００とからなる本体部の外観図である。以下、図１２と図１４に基づいて、外枠６００と装置本体６６０との関係について説明する。外枠６００は、装置本体６６０を囲む形であり、その中に装置本体６６０を設置できるようになっている。装置本体６６０は固定された車輪６６２により床に固定されている。なお、車輪６６２を固定するには周知の方法でよく、車輪止めにより車輪６６２を固定する方法、車輪６６２の回転を止める車輪回転停止部材を車輪６６２に設け、その車輪回転停止部材により車輪６６２の回転を止めることにより車輪６６２を固定する方法などが挙げられる。
【００９８】
また、外枠６００は装置本体６６０とは独立してその底面が床に固定されている。ソータ７００は図１５に示すように車輪が折り畳まれ脚部が床に固定されている。そして、外枠６００と装置本体６６０との間に、図１２に示すように、ゴムなどの弾性部材ＧＵＭを介している。また、ソータ７００と装置本体６６０との間に、図示しないゴムなどの弾性部材を介している。また、通常の作動時には、装置本体６６０の前には、その前面に把手６５１のある扉６５０が外枠６００の一部としてある。そして、扉６５０は外枠６００から取り外し可能な構造となっており、扉６５０を取り外すと外枠６００から外に装置本体６６０を車輪６６２により引き出すことが可能となっている。このように、外枠６００が装置本体６６０と別に固定され、外枠６００が装置本体６６０を囲む構造とすることで、エンドユーザが待ち時間に待ちきれずなどして、エンドユーザが装置を叩いたり、エンドユーザが装置に蹴つまずいたりなどしても、衝撃を外枠６００が受け止め、装置本体６６０に衝撃が届かないようにして、処理液の液面が上下したり、処理液が飛び散ったり、露光装置などの装置が狂ったりしないようになっている。
【００９９】
また、ソータ７００も装置本体６６０と別に固定され、ソータ７００と装置本体６６０との間は弾性部材を介して接することで、エンドユーザがソータ７００を叩いたり、エンドユーザがソータ７００に蹴つまずいたり、ソータ７００が振動したりなどしても、衝撃を外枠６００が受け止め、本体６５０に衝撃が届かないようにして、フィルム現像処理部１やペーパー現像処理部４の処理液の液面が上下したり、処理液が飛び散ったり、露光部２１０などの装置が狂ったりしないようになっている。
【０１００】
なお、装置本体６６０及び外枠６００の間と、装置本体６６０及びソータ７００の間は、完全に隙間が空いていて、完全に別に固定されていてもよい。その場合も装置本体６６０と外枠６００とが近づいている部分にはゴムなどの弾性部材を設けておくことが好ましい。
【０１０１】
また、装置本体６６０に複数の固定脚を設け、外枠６００をゴムなどの弾性部材を介して保持するようにしてもよい。
【０１０２】
また、外枠６００の上面には、全体制御装置３００を設置できるようになっている。全体制御装置３００の中には、モニタ３１０の他に、図３に示す各種制御部、メモリ、処理実行部、Ｉ／Ｆなどの電装部が収容されている。また、外枠６００の上面前部右側にはフィルム送出部６１０があり、外枠６００の上面前部左側には、後で説明する写真原稿送出部６３０と写真原稿収容容器収容部６２０とがある。フィルム送出部６１０には、前述したパトローネを挿入する挿入口６１１がある。そして、フィルム送出部６１０から送り出されたフィルムはフィルム現像処理部１に送られる。
【０１０３】
ソータ７００は複数のビン７４１〜７４６を有し、各ビンには把手のある蓋７１１〜７１６がある。また、各蓋７１１〜７１６には把手７２１〜７２６と案内灯７３１〜７３６がある。
【０１０４】
図１６は装置本体６６０の概要構成図である。Ｌ幅マガジン６７０には８９ｍｍ幅のロール印画紙が収容されている。Ａ４幅マガジン６９０には２１０ｍｍ幅のロール印画紙が収容されている。露光部収容体２００に収容されているカッタ２０１で切断され、露光部２１０で露光された印画紙はペーパー現像部４で現像処理され、後処理部５５０を通って、ソータ７００に渡される。フィルム送出部６１０から送り出されたフィルムＦはフィルム現像処理部１に送られ、フィルム現像処理部１で後述する浸漬現像処理され写真原稿にされる。フィルム現像処理部１で浸漬現像処理され得られた写真原稿は撮像部収容体１００に送られる。この際、フィルムＦはリーダを用いないパーフォレーション搬送により所定の搬送速度で搬送される。写真原稿は、撮像部収容体１００に収容されている撮像部４００で撮像され、巻取部１６０で巻き取られ写真原稿収容容器に収容されて写真原稿収容体にされる。写真原稿収容体はソータ７００に送られる。
【０１０５】
複数の処理工程からなるフィルム現像処理部１と複数の処理工程からなるペーパー現像処理部４は、フィルム現像処理部１が手前になるように平行に設けられている。フィルム現像処理部１の乾燥部側上方には撮像部収容体１００が設けられ、ペーパー現像処理部の上方には、現像工程側から露光部収容体２００、マガジン６７０、６９０、後処理部５５０が設けられている。マガジン６７０とマガジン６９０は後述するが、互いに平行に設けられている。また、フィルム現像処理部１とペーパー現像処理部４との間に、フィルム現像処理部１とペーパー現像処理部４の各処理工程毎に、固体処理剤を溶解し処理剤成分を各処理工程に供給するために各処理工程と処理液が循環している補助タンク２、５が設けられている。
【０１０６】
また、マガジン６７０と撮像部収容体１００に挟まれた装置本体６６０の表面（上面）に固体処理剤容器をセットする固体処理剤容器セット台８０が設けられている。そして、固体処理剤供給部８が、フィルム現像処理部１とペーパー現像処理部４との間の補助タンクの上方に設けられており、固体処理剤容器セット台８０にセットされた固体処理剤容器７から固体処理剤を補助タンク２、５に供給する。そして、固体処理剤供給部８から供給された固体処理剤は固体処理剤誘導部９によって対応する処理工程の補助タンクに誘導される。
【０１０７】
図１７は装置本体６６０のフィルム現像処理部１とペーパー現像処理部４と各補助タンク２、５とフィルター３、６と固体処理剤容器７と固体処理剤供給部８と固体処理剤誘導部９の配置を示す垂直断面図である。フィルム現像処理部１の処理槽１１に隣接して補助タンク２が設けられている。処理槽１１と補助タンク２とは連通口１３を介して連通している。補助タンク２にはフィルター３が脱着可能に設けられている。フィルター３の底からパイプ２３がポンプ２４まで延びており、また、ポンプ２４から処理槽１１の底部にパイプ２５が延びている。これにより、ポンプ２４が作動することにより、処理液が処理槽１１から補助タンク２、フィルター３、ポンプ２４を通って処理槽１１に戻る循環経路を循環することになる。
【０１０８】
また、ペーパー現像処理部４の処理槽４１に隣接して補助タンク５が設けられている。処理槽４１と補助タンク５とは連通口４３を介して連通している。補助タンク５にはフィルター６が脱着可能に設けられている。フィルター６の底からパイプ５３がポンプ５４まで延びており、また、ポンプ５４から処理槽４１の底部にパイプ５５が延びている。これにより、ポンプ５４が作動することにより、処理液が処理槽４１から補助タンク５、フィルター６、ポンプ５４を通って処理槽４１に戻る循環経路を循環することになる。
【０１０９】
フィルター３、６には、液面より上に出ている摘持部３３、６３があり、また、空気を吸い込まないように液面より下にフィルター濾過部３１、６１があり、液面を塞ぎ、フィルター濾過部３１、６１を覆う抑え部３２、６２がある。
【０１１０】
また、固体処理剤容器７には同じ処理工程用の固体処理剤を収容する収容部として複数列の細長い収容室７８があり、各室に固体処理剤（錠剤）が互いに非面接触で容器とも非面接触で一列に整列して収容されている。固体処理剤供給部８は固体処理剤容器セット台８０の上にセットされた固体処理剤容器７から固体処理剤を固体処理剤収容部９１により１個づつ固体処理剤誘導部９に供給する。固体処理剤誘導部９は、フィルム用固体処理剤を補助タンク２に供給する際は誘導経路９３を通して、印画紙用固体処理剤を補助タンク５に供給する際は誘導経路９２を通して、供給する。補助タンク２、５には供給された固体処理剤（錠剤）が丁度降下する所に剣山２２、５２を設けられ、供給された固体処理剤（錠剤）が、剣山２２、５２上で流れの速い所で止められ、序々に溶解する。
【０１１１】
図１８は装置本体６６０のフィルム現像処理部１とペーパー現像処理部４と各補助タンク２、５とフィルター３、６と固体処理剤容器７の配置を示す平面図である。フィルム現像処理部１はフィルムを浸漬現像処理するものである。フィルム現像処理部１は、図１９のフィルム現像処理部１の概略断面図にも示すように、現像処理工程、漂白処理工程、定着処理工程、水洗処理工程の４処理工程の第一現像処理槽１Ａ、第二現像処理槽１Ｂ、漂白処理槽１Ｃ、定着処理槽１Ｄ、第一水洗槽１Ｅ、第二水洗槽１Ｆ、第三水洗槽１Ｇの７槽と乾燥部１Ｈを有する。フィルム現像処理部１では、フィルムが所定の搬送速度で搬送されながら、第一現像処理槽１Ａ、第二現像処理槽１Ｂ、漂白処理槽１Ｃ、定着処理槽１Ｄ、第一水洗槽１Ｅ、第二水洗槽１Ｆ、第三水洗槽１Ｇ、乾燥部１Ｈの順に送られ、浸漬現像処理される。また、各処理槽１Ａ〜Ｇには補助タンク２Ａ〜Ｇがあり、また、各補助タンク２Ａ〜Ｇにはフィルター３Ａ〜Ｇがある。ペーパー現像処理部４は、印画紙を浸漬現像処理するものである。ペーパー現像処理部４は、図２０のペーパー現像処理部４周辺の概略断面図にも示すように、現像処理工程、漂白定着処理工程、水洗工程の３工程の現像処理槽４Ｐ、漂白定着処理槽４Ｑ、第一水洗槽４Ｒ、第二水洗槽４Ｓ、第三水洗槽４Ｔの７槽と乾燥部４Ｕを有する。ペーパー現像処理部４は、印画紙が所定の搬送速度で搬送されながら、現像処理槽４Ｐ、漂白定着処理槽４Ｑ、第一水洗槽４Ｒ、第二水洗槽４Ｓ、第三水洗槽４Ｔ、乾燥部４Ｕの順に送られ、浸漬現像処理される。
【０１１２】
また、各処理槽４Ｐ〜Ｔには、図１８に示すように、補助タンク５Ｐ〜Ｔが設けられており、また、各補助タンク５Ｐ〜Ｔにはフィルター６Ｐ〜Ｔがおかれている。本実施形態の固体処理剤容器７には、主要固体処理剤容器７１と水洗工程用固体処理剤収容容器７２とがある。主要固体処理剤容器７１には、フィルム用固体処理剤を収容する収容部（現像処理工程用固体処理剤収容部７Ｂ、漂白処理工程用固体処理剤収容部７Ｃ、定着処理工程用固体処理剤収容部７Ｄ）と印画紙用固体処理剤を収容する収容部（現像処理工程用固体処理剤収容部７Ｐ、漂白定着処理工程用固体処理剤収容部７Ｑ）とが交互に配置されている。これにより各補助タンクへの供給経路をより短く簡素なものにしている。
【０１１３】
また、水洗工程用固体処理剤収容容器７２にフィルム用水洗工程用固体処理剤を収容する収容部７Ｇと印画紙用水洗工程用固体処理剤を収容する収容部７Ｔとがある。これにより、通常、水洗工程用固体処理剤の補充量は他の処理剤と比較して非常に小さいという条件と、通常、水洗工程用固体処理剤を供給する場所と他の固体処理剤を供給する場所とは離れているという条件を満たすことができる。
【０１１４】
また、各固体処理剤の補充量の比率は異なるので、図１８においてフィルム用定着処理工程用固体処理剤収容部７Ｄが他の収納部より大きいように、各固体処理剤の補充量の比率に応じて収納部の大きさが異なるようにすることで、固体処理剤容器中の各固体処理剤が同時に無くなるようになっている。また、各収納部の大きさが異なるので、固体処理剤供給部８の各供給部の長さもそれに応じて異なる。そして、固体処理剤誘導部９の誘導経路９２、９３がそれぞれ対応する補助タンクに固体処理剤を供給するように図１８における上下方向だけでなく左右方向にも誘導するような経路となっている。
【０１１５】
図２１は固体処理剤容器７と固体処理剤供給部８と固体処理剤誘導部９の配置を示す概略斜視図である。図１７、図２１に基づいて、固体処理剤供給部８の機構について説明する。主要固体処理剤容器７１に対応する固体処理剤供給ドラム８１と安定工程用固体処理剤容器７２に対応する固体処理剤供給ドラム８２との間にこれらのドラムの回転軸となる軸８３がある。軸８３とモータ８４の軸８５とがウォームギア機構により接続されている。これにより、モータ８４の回転を固体処理剤供給ドラム８１、８２に伝達している。
【０１１６】
また、主要固体処理剤容器７１と安定工程用固体処理剤容器７２には、それぞれその上面に把手７３、７４が有る。そして、把手７３、７４を持って、前述の装置本体６６０の表面にある固体処理剤容器セット台８０に簡単にセットでき、また、固体処理剤容器セット台８０にセットされている主要固体処理剤容器７１や安定工程用固体処理剤容器７２を簡単に上方向に持ち上げることができる。従って、装置本体６６０を外枠６００から外に引出すと、簡単に主要固体処理剤容器７１や安定工程用固体処理剤容器７２を交換することができる。
【０１１７】
図２２は本実施形態の変形実施形態の固体処理剤容器７と固体処理剤供給部８と固体処理剤誘導部９の配置を示す概略斜視図である。主要固体処理剤容器７１と安定工程用固体処理剤容器７２に分けるのではなく、各固体処理剤の用途毎に１つづつの固体処理剤容器７を設けたものである。現像工程側から、ペーパー現像処理用現像工程用固体処理剤容器７Ｐ，フィルム現像処理用現像工程用固体処理剤容器７Ｂ，ペーパー現像処理用漂白定着工程用固体処理剤容器７Ｑ，フィルム現像処理用漂白工程用固体処理剤容器７Ｃ，フィルム現像処理用定着工程用固体処理剤容器７Ｄ，ペーパー現像処理用安定工程用固体処理剤容器７Ｔ，フィルム現像処理用安定工程用固体処理剤容器７Ｇの順に並べられる。これらの容器７の交換は一時に行ってもよいし、無くなり次第各々別々に行ってもよいが、好ましくは、ペーパー処理用、フィルム処理用は同時に無くなるように設計できるので、ペーパー処理用、フィルム処理用各々同時に交換することが好ましい。
【０１１８】
また、別の変形実施形態として、固体処理剤供給部８用のモータは主要固体処理剤容器７１と安定工程用固体処理剤容器７２との間ではなく、これらの外側にモータ８４を設け、このモータ８４の回転を固体処理剤供給ドラム８１、８２に伝達するようにしてもよい。また、交換は直ちに上方向に固体処理剤容器を持ち上げるのではなく、一旦水平方向に引き出してから、上方向に把手７３、７４により固体処理剤容器を持ち上げて交換してもよい。
【０１１９】
上述のいずれの実施形態でも、固体処理剤容器をセットするための固体処理剤容器セット台８０は外枠６００に囲まれた装置本体６６０にあるので、不特定多数のエンドユーザや全く関係のない人が固体処理剤容器をイタズラして、ハロゲン化銀写真感光材料用固体処理剤に触れたり目に入れたり飲み込んだりすることを防ぎつつ、装置本体６６０が外枠６００の外に車輪６６２により楽に移動可能であり、固体処理剤容器セット台８０は装置本体６６０の表面にあるので、装置本体６６０を外枠６００の外に移動させるだけで、簡単に固体処理剤容器をセット・交換することができ、固体処理剤容器の交換を速やかに行うことができる。なお、取り外し可能な外枠６５０は施錠できるようになっており、通常時には施錠し、固体処理剤容器の交換などのメンテナンス時だけ鍵を開くことが好ましい。
【０１２０】
図２３は撮像部４００を収容する撮像部収容体１００の断面図である。フィルムはフィルム現像処理部１で現像処理され写真原稿とされる。そして、写真原稿は、先ず、フィルム現像処理部１から搬送ローラ１７１、１７２を通って、ローラ１５１を通って、張力発生防止部１３０を通って、撮像部搬送機構の現像処理部側ローラ１２５、１２６を通って、撮像部４００を通り、撮像部搬送機構の巻取部側ローラ１２７を通って、撮像巻取間張力発生防止部１４０を通って、巻取部１６０で巻き取られる。それと同時に撮像部４００を通る写真原稿の撮像が行われる。また、撮像部搬送機構の現像処理部側ローラ１２５、１２６には、搬送検出器４９１が、撮像部搬送機構の巻取部側ローラ１２７にも搬送検出器４９２が設けられている。これらの搬送検出器４９１・４９２により、撮像部の副走査方向の撮像が制御されている。
【０１２１】
なお、張力発生防止部１３０と撮像巻取間張力発生防止部１４０は、図２３の点線（Ｆ３やＦ４）で示すように写真原稿をたわまして搬送することにより、張力発生防止部１３０や撮像巻取間張力発生防止部１４０の前後で写真原稿に張力が働かないようにして、張力発生防止部１３０や撮像巻取間張力発生防止部１４０の前後の張力の発生を低減、防止するものである。これにより、後述する撮像部４００での撮像などを良好なものにする。
【０１２２】
また、長尺状写真原稿を撮像しつつ、撮像部収容体１００を小型化するために、写真原稿を巻き取り収容する手段を撮像部４００の写真原稿搬送方向の両側に設けている。
【０１２３】
巻取部１６０は撮像部４００で撮像が済んだ写真原稿を写真原稿収容容器５１０に巻き取り収容するものである。巻取部１６０は、写真原稿収容容器５１０の回転軸５１１と回転軸５１１に一端が固定されたマットシート５１６とを有する写真原稿収容容器５１０と、粘着リール１６６と、巻取部入口のローラ１６１・１６２などがある。マットシート５１６は、写真原稿収容容器５１０の回転軸５１１に一端が固定され、回転軸５１１に十分巻かれ、粘着リール１６６に図２３では逆Ｓ字状に掛け渡され粘着リール１６６に十分巻かれ、他端が粘着リール１６６に一時的に固定されている。巻取部入口のローラ１６１・１６２から送られた写真原稿Ｆ５は、粘着リール１６６に巻かれているマットシート５１６と写真原稿収容容器５１０の回転軸５１１及び粘着リール１６６に逆Ｓ字状に掛け渡されているマットシートとの間に挿入され、粘着リール１６６から写真原稿収容容器５１０の回転軸５１１にマットシート５１６が巻き取られるのに従って、写真原稿はマットシートとマットシートとの間に挟まれて巻き取られる。そして、撮像を終了すると、巻取部１６０で写真原稿は写真原稿収容容器５１０の回転軸５１１に巻き取られた状態になる。そして、粘着リール１６６からマットシート５１６が引き剥がされ、マットシート５１６の他端部の巻緩み防止部を巻緩み防止状態にし、マットシート５１６の他端部も写真原稿容器に巻かれ、ソータ７００に排出される。
【０１２４】
一時巻取部１５０は、操作者が写真原稿送出部６３０にセットされた写真原稿を収容した写真原稿収容体から取り出された写真原稿を撮像部４００の前を逆送させた際に、一時巻き取るものである。この一時巻取部１５０に巻き取られた写真原稿は、順に送られ、撮像部４００で撮像されて、巻取部１６０で写真原稿収容容器５１０に巻き取られる。一時巻取部１５０は、第一リール１５５と、第二リール１５６と、第一リール１５５に一端が固定され第一リール１５５に十分巻かれ第二リール１５６に図２３ではＳ字状に掛け渡され第二リール１５６に十分巻かれ他端が第二リール１５６に固定されているマットシート１５７と、一時巻取部入口のローラ１５１などがある。一時巻取部入口のローラ１５１から送られた写真原稿Ｆ５は、第二リール１５６に巻かれているマットシートと、第一リール１５５と第二リール１５６にＳ字状に掛け渡されているマットシートとの間に、挿入され第一リールから第二リールにマットシート１５７が巻き取られるのに従って、写真原稿はマットシートとマットシートとの間に挟まれて巻き取られる。
【０１２５】
なお、一時巻取部１５０の第二リール１５６での写真原稿の巻き取りも、巻取部１６０の写真原稿容器の回転軸５１１での写真原稿の巻き取りも、現像処理部１で写真原稿に与えられる巻癖も、また、写真原稿送出部６３０にセットされる写真原稿収容体の写真原稿の巻癖も、同じ巻方向である。従って、撮像部４００で撮像される写真原稿の巻癖がバラバラになって撮像部のピント面から写真原稿の画像の一部が微妙に外れることを防止できる。また、写真原稿を、一時巻取部１５０の第二リール１５６や巻取部１６０の写真原稿容器の回転軸５１１に巻き取ったり、これらから巻き戻したりする時に、ジャムが発生しにくいなどのメリットがある。
【０１２６】
フィルム現像処理部１の搬送速度、巻取部１６０の巻取速度、及び、一時巻取部１５０の巻取速度は、いずれも９９．５％以上の確度で±５％以内にある。撮像部４００の搬送機構の搬送速度は９９．５％以上の確度で±１％以内にある。また、撮像部４００の平均搬送速度、フィルム現像処理部１の平均搬送速度、巻取部１６０の平均巻取速度、及び、一時巻取部１５０の平均巻取速度は同じである。そして、前記撮像部４００の搬送速度に対して、フィルム現像処理部１の搬送速度と、巻取部１６０の巻取速度と、一時巻取部１５０の巻取速度とが、少なくとも撮像手段による撮像時、９９．５％以上の確度で互いに±５％以内にある。
【０１２７】
そして、最も長い写真原稿が１．６ｍであり、張力発生防止部１３０は安全をみて約２０ｃｍのアキュームとして機能し、張力発生防止部１３０に約１０ｃｍのループができた段階で撮像のための搬送を開始できる。このようにして、従来のプリンタプロセッサの焼付装置と現像処理装置との間のアキュームのように大きなアキュームを、フィルム現像処理部１と撮像部４００との間に設ける必要がなく、装置の小型化と迅速な撮像を行うことができる。
【０１２８】
また、最も長い写真原稿が１．６ｍであり、撮像巻取間張力発生防止部１４０は安全をみて約２０ｃｍのアキュームとして機能し、撮像巻取間張力発生防止部１４０に約１０ｃｍのループができた段階で巻取部１６０は巻取を開始することができる。このようにして、撮像部４００と巻取部１６０との間に大きなアキュームを設ける必要がなく、装置の小型化と迅速な撮像を行うことができる。
【０１２９】
また、操作者が写真原稿送出部６３０にセットした写真原稿収容体の写真原稿は、以下の手順で撮像される。操作者が写真原稿を収容した写真原稿収容体を写真原稿送出部６３０にセットすると、写真原稿送出部６３０が写真原稿収容体から写真原稿を取り出す。取り出された写真原稿は、撮像部４００の前を逆送されて、一時巻取部１５０に一時巻き取られる。そして、写真原稿の後端が撮像部４００を通ると、写真原稿を逆方向に搬送し、すなわち、順に搬送し、撮像部４００での撮像が行われる。そして、撮像部４００で撮像された写真原稿は、巻取部１６０で写真原稿収容容器５１０に巻き取られる。
【０１３０】
図２４は撮像部４００の概略斜視図である。写真原稿は写真原稿ガイド１２１、１２２に一端を挟まれ、写真原稿ガイド１２３、１２４に他端を挟まれ、平面性を維持されながら、上述のように所定の搬送速度で搬送される。光源部４１３では、光源からの白色光をミラートンネルを介して光量分布が一様な面光源光にして、写真原稿を照明する。レンズ部４１２は照明された写真原稿の像を撮像素子部４１１上に結像する。撮像素子部４１１は写真原稿の像を撮像する。撮像素子部４１１は、図２５にその断面図を示すように、ｂ，ｇ，ｒの各色毎に２本の５０００画素のＣＣＤラインセンサ４２１〜４２６とその手前に設けられたｂ，ｇ，ｒの各色毎にＣＣＤラインセンサ毎に濃度の異なるフィルタ４３１〜４３６により、ｂ，ｇ，ｒの各色の撮像を行う。ｂ，ｇ，ｒの各色の低濃度のフィルタ４３１〜４３３はｂ，ｇ，ｒの各色の濃度が略０であるのに対し、ｂ，ｇ，ｒの各色の高濃度のフィルタ４３４〜４３６はｂ，ｇ，ｒの各色の濃度も１〜２程度あるものである。これによって、フィルムの低濃度域と高濃度域の両方の撮像を同時に行う。そして、これらｂ，ｇ，ｒの各色毎のフィルタを透過した光をＣＣＤラインセンサによって受光するので、フィルタの選択により副吸収成分の著しく小さいものにできる。例えば、ｂ用のフィルタは４３０ｎｍ以下の波長の光と４７０ｎｍ以上の波長の光を遮光し、ｇ用のフィルタは５３０ｎｍ以下の波長の光と５７０ｎｍ以上の波長の光を遮光し、ｒ用のフィルタは６３０ｎｍ以下の波長の光と６７０ｎｍ以上の波長の光を遮光するというように、ｂ光とｇ光の中間波長やｇ光とｒ光の中間波長をカットする特性のものを選んでいる。これは、通常これら中間波長にピークのある色素を一般撮影用ハロゲン化銀カラーネガ写真感光フィルムを現像処理して得られた写真原稿は有せず、また、これら中間波長に色濁りの原因となる副吸収成分の量が大きいからである。このように、ＣＣＤラインセンサにより、写真原稿の幅方向に対して主走査が行なわれ、前述の所定の搬送速度での搬送により、写真原稿の長手方向に対して副走査が行なわれ、得られたｂ，ｇ，ｒの各色の画像信号は補正部１９０に供給される。
【０１３１】
撮像部４００の信号処理内容について、撮像部４００のブロック図である図２６に基づいて説明する。
【０１３２】
撮像素子部４２０で読み取られたｂ，ｇ，ｒの各原色毎の画像アナログ信号は、アナログ処理部４５０で、サンプルホールドおよび増幅して、電流電圧変換され、Ａ／Ｄ変換部４４５で、Ａ／Ｄ変換され、測光デジタル画像信号として、一旦、一時メモリ４４７に記憶される。そして、順次、一時メモリ４４７に記憶された測光デジタル画像信号は、デジタル処理部４６０で、ｂ，ｇ，ｒ各色毎に、シェーディング補正、高濃度の測光デジタル信号と低濃度の測光デジタル信号の合成を行い、さらに、撮像素子部４２０の混色の影響の補正、撮像素子部４２０の感度特性の補正、感材種による写真原稿の特性の影響の補正、感材種による現像処理条件の影響の補正を行い、適切な画像信号である補正デジタル画像信号に変換され、メモリ４４９に記憶される。なお、この補正デジタル画像信号は出力デジタル画像の元となるデジタル画像に相当する。
【０１３３】
そして、画像送信Ｉ／Ｆ４７０でデジタル画像として画像送信される。これらの動作は制御部４４１が制御している。また、Ａ／Ｄ変換部４４５で、Ａ／Ｄ変換され得られた測光デジタル画像信号は、撮像情報処理部４４６に送られ、撮像情報処理部４４６で、測光デジタル画像信号から撮像された写真原稿のＤＸコードを読み取り、撮像された写真原稿の感材種を判別し、また、撮像された写真原稿のベース濃度を判別する。そして、判別された撮像された写真原稿の感材種とベース濃度が制御部４４１に送られ、制御部は、デジタル処理データメモリ４４２から、送られた写真原稿の感材種とベース濃度に対応するデジタル処理データを読み出し、デジタル処理部４６０に設定する。デジタル処理部４６０での、ｂ，ｇ，ｒ各色毎の、感材種による写真原稿の特性の影響の補正と感材種によるベース濃度の影響の補正のためのデジタル処理データは、デジタル処理データメモリ４４２に記憶されている。そして、制御部４４１に伝えられた撮像する写真原稿の感材種とベース濃度に基づいて、デジタル処理データメモリ４４２に記憶されているデジタル処理データから、該当するデジタル処理データを読みだされ、デジタル処理部４６０に設定される。
【０１３４】
また、デジタル処理部４６０での、ｂ，ｇ，ｒ各色毎のシェーディング補正と高濃度の測光デジタル信号と低濃度の測光デジタル信号の合成、若しくは、撮像素子部４２０の混色の影響の補正と撮像素子部４２０の感度特性の補正のためのデジタル処理データは、制御Ｉ／Ｆ４８０を通して全体制御装置３００から伝えられた、シェーディング補正パターンの情報であるシェーディング補正情報、高濃度の測光デジタル信号と低濃度の測光デジタル信号の合成処理のための情報である濃度合成情報、撮像素子部４２０の混色の影響の補正と撮像素子部４２０の感度特性の補正をするためのマトリックスの情報である撮像補正マトリックス情報がデジタル処理部４６０に設定される。
【０１３５】
なお、デジタル処理部４６０での高濃度域の測光デジタル信号と低濃度域の測光デジタル信号の合成は、シェーディング補正や撮像素子部４２０の混色の影響の補正や撮像素子部４２０の感度特性の補正などを行った後に行われる。なぜなら、これらの影響は撮像素子毎に相違するからである。
【０１３６】
また、デジタル処理部４６０での高濃度域の測光デジタル信号と低濃度域の測光デジタル信号の合成は、ＣＣＤラインセンサ４２１〜４２６は互いに平行で所定の間隔で位置決めされているので、高濃度域の測光デジタル信号と低濃度域の測光デジタル信号とは所定の位置関係にあり、また、ｂ，ｇ，ｒの各色の測光デジタル信号の間も所定の位置関係にあるので、この関係を利用して、各々の測光デジタル信号の画面端位置の信号の位置を検出し、互いに同じ位置を示す画素を見いだす。高濃度域の測光デジタル信号の各画素のレベルが所定範囲（高濃度域の撮像として階調性の良好な撮像ができるレベルの範囲、本実施形態では、照明光の光量が設定された光量である場合に、濃度で１．５以上に相当するレベル）内であるか否か判断し、高濃度域の測光デジタル信号の画素のレベルが所定範囲内である場合は、高濃度域の測光デジタル信号を用い、高濃度域の測光デジタル信号の画素のレベルが所定範囲外である場合は、当該高濃度域の測光デジタル信号の画素と同じ位置を示す低濃度域の測光デジタル信号の画素のレベルを用いることにより、合成する。なお、高濃度域の測光デジタル信号と低濃度域の測光デジタル信号とで基準レベルが同一になるように調整した後に合成することはいうまでもない。なお、この調整は、高濃度域の測光デジタル信号の各画素のレベルが所定範囲（高濃度域の撮像として階調性の良好な撮像ができるレベルの範囲）内であるか否か判断する前に行ってもよいし、後に行ってもよい。
【０１３７】
また、撮像部４００の前後に設けられた搬送検出器４９１・４９２により検出された搬送検出信号から搬送検出部４９０が、搬送信号を制御部４４１とアナログ制御部４４３に送り、また、搬送状態を示す信号を制御部４４１に送る。そこで異常が有れば、制御部４４１が制御Ｉ／Ｆ４８０を通して、全体制御装置３００に異常検出信号を送信し、全体制御装置３００が各部を制御して対処する。アナログ制御部４４３は制御部４４１からの制御信号により制御され、アナログ制御部４４３は、搬送検出部４９０からの搬送検出信号により、撮像素子部４２０、アナログ処理部４５０、Ａ／Ｄ変換部４４５、一時メモリ４４７のタイミングを制御することにより、撮像部の副走査方向の撮像を制御する。また、制御部４４１は全体制御装置３００からの制御信号に基づいて、一時メモリ４４７、デジタル処理部４６０、メモリ４４９、画像送信Ｉ／Ｆ４７０、制御Ｉ／Ｆを制御する。例えば、全体制御装置３００から、感材種による現像処理条件の影響の補正条件を示す現像処理条件情報が送信されると、デジタル処理部４６０の感材種による現像処理条件の影響の補正条件が設定されなおされる。また、全体制御装置３００から画像送信要求信号が送信されると、画像送信Ｉ／Ｆ４７０に画像送信させる。
【０１３８】
次に、写真原稿収容容器５１０について説明する。図２７に写真原稿収容容器５１０の斜視図を示す。写真原稿収容容器５１０は、図２７（Ａ）に示すように、中に中空軸５１５を有する回転軸５１１の両端に平行にフランジ５１２とフランジ５１３に設けられ、回転軸５１１にマットシート５１６が接着テープ５１７により接着されているものである。なお、図２７（Ａ）は回転軸５１１にマットシート５１６が巻かれる前の状態を、図２７（Ｂ）は回転軸５１１にマットシート５１６が大方巻かれた状態を示す。また、図２７（Ｂ）に示すように、マットシート５１６の先端から１周分程度の所に巻き緩み防止のための半接着部５１８が巻き取った時に内側の面に設けられている。以降、半接着部５１８より先のマットシート５１６をシート先端部５１９と呼ぶ。そして、図２８に完全に巻かれた状態を示す。半接着部５１８が内側のマットシート５１６と半接着され、巻き緩みを防止している。
【０１３９】
図２９に、巻取部１６０と写真原稿収容容器収容部６２０と写真原稿送出部６３０の付近の概略断面を示す概略断面図である。写真原稿収容容器収容部６２０には、整列部材６２４により、２列に写真原稿収容容器５１０を収容するようになっている。途中、可動シャッタ６２５により、写真原稿収容容器収容部６２０を２分するようになっているが、これは、装置本体６６０を動かす際に、この可動シャッタ６２５が閉じ、可動シャッタ６２５の上部に収容された写真原稿収容容器５１０を保持するためのものである。２列に写真原稿収容容器５１０を収容した底にフィーダ６２６がある。フィーダ６２６は写真原稿収容容器収容部６２０から写真原稿収容容器５１０を巻取部１６０に供給するもので、送り爪６２７を有するフィーダコンベア６２９とフィーダコンベア６２９を回転駆動させる回転軸６２８を有する。なお、巻取部１６０の壁の上部は、図示しないがゴムなどの弾性部材で形成されており、外枠６００からの振動を吸収し装置本体６６０に伝わらないようにしている。
【０１４０】
また、写真原稿送出部６３０には、写真原稿送出部６３０にセットされた写真原稿収容容器５１０の中空軸５１５に進入し、内側からのチャック機構により写真原稿収容容器５１０を保持するチャック部６３４、このチャック部６３４を回転させることにより写真原稿収容容器５１０を回転させる写真原稿収容容器回転駆動部６３３、マットシート５１６の先端を一時的に粘着して巻き取るための粘着リール６３６、この粘着リール６３６を回転させる粘着リール回転駆動部６３５があり、写真原稿収容容器５１０に収容されている写真原稿を写真原稿送出口１８１を通して、撮像部収容体１００に送る。
【０１４１】
また、巻取部１６０には、巻取部１６０に送られた写真原稿収容容器５１０の中空軸５１５に進入し、内側からのチャック機構により写真原稿収容容器５１０を保持するチャック部１６３、このチャック部１６３を回転させることにより写真原稿収容容器５１０を回転させる写真原稿収容容器回転駆動部１６４、マットシート５１６の先端を一時的に粘着して巻き取るための粘着リール１６６、この粘着リール１６６を回転させる粘着リール回転駆動部１６７があり、写真原稿収容容器５１０に写真原稿を巻き取り収容して、ソータ７００に送りだす。
【０１４２】
図３０〜図３２で、この巻取部１６０の動作を説明する。（１）で、図示しない送り爪６２７を有するフィーダコンベア６２９で写真原稿収容容器収容部６２０から送られた写真原稿収容容器５１０の中空軸５１５の中に、チャックを閉じた状態でチャック部５２１を進入させる。そして、チャック部５２１が適切な位置まで進入した所でチャックを開き、写真原稿収容容器５１０を保持する。
【０１４３】
そして、（２）で、先端１１１が鋭角の分離ジグ１１０を移動させ、分離ジグ１１０の先端１１１が写真原稿収容容器５１０に巻き取られたマットシート５１６の周面に当接させる。そして、図示しない写真原稿収容容器回転駆動部１６４が写真原稿収容容器５１０を図３０では右方向に回転させ、マットシート５１６の先端部５１９をマットシート５１６の周面から分離する。分離ジグ１１０は、分離ジグ１１０の先端１１１が写真原稿収容容器５１０に巻き取られたマットシート５１６の周面に当接させた状態で、先端１１１のマットシート５１６の周面側の面はマットシート５１６の周面の接面になっており、先端１１１のマットシート５１６の周面と反対側の面は進入方向と平行な面になっている。そして、粘着リール１６６からのこの平行な面へ垂直に降ろした影ＳＨの中にマットシート検出部１１３が設けられている。マットシート検出部１１３はマットシート５１９からの反射光を検出するものである。また、粘着リール１６６からのこの平行な面へ垂直に降ろした影ＳＨの先端部１１１から反対側が粘着リール１６６と係合するように競り上がっている係合部１１５がある。そして、マットシート検出部１１３はマットシート５１９からの反射光を検出すると、（３）の状態になり、分離ジグ１１０が進入方向と垂直な方向（先端１１１のマットシート５１６の周面と反対側の面と垂直な方向）に動き、マットシートの先端部５１９を粘着リール１６６に押し当て、マットシートの先端部５１９と粘着リール１６６とを一時的に接着させる。
【０１４４】
そして、分離ジグは退避して、粘着リール回転駆動部１６７が粘着リール１６６を図３０で左回転させてマットシートの先端部５１９を巻き取る。そして、（４）の状態になり、マットシートの先端部５１９を巻き取ることに伴って、マットシートの半接着部５１８の接着が剥がされる。そして、（５）の状態になる。すなわち、一部のマットシートを残して、マットシート５１６を巻き取った状態である。この状態で写真原稿Ｆが来るのを待つ。一部のマットシートを残すのは、回転軸５１１とマットシート５１６との接着部の影響をできるだけ小さくするためで、少なくとも回転軸５１１の一周分は残すことが好ましい。特に、３周分以上残すことが好ましい。
【０１４５】
そして、写真原稿Ｆが送られると、今までとは逆の回転方向である、写真原稿収容容器５１０は図３１で左方向に回転され、粘着リール１６６は図３１で右方向に回転される。そして、送られた写真原稿Ｆは、回転軸５１１に巻かれているマットシート５１６と、回転軸５１１と粘着リール１６６にたすき掛け状に掛け渡されているマットシート５１６との間に挿入され、粘着リール１６６から回転軸５１１にマットシート５１６が巻き取られるのに従って、写真原稿はマットシートとマットシートとの間に挟まれて巻き取られる。そして、（７）の状態になって写真原稿Ｆが完全に巻き取られた後も、さらに、マットシート５１６だけが巻き取られる。このようにシートの長さが写真原稿の長さに対して十分に長いと巻かれた後に外からの衝撃などが余分に巻かれたシートで吸収される。そして、（８）の状態になり、マットシートの先端部５１９が粘着リール１６６から引き剥がされる。この時のトルクが上昇したことを検知して、分離ジグ１１０が進入し、分離ジグ１１０の先端部１１１がマットシート５１６の外周面を押圧する。そして、（９）でマットシートの先端部５１９を巻き取る。そして、マットシートの先端部５１９も巻き取られると、分離ジク１１０が退避し、チャック部５２１が閉じて、（１０）の状態になる。そして、チャック部５２１が中空軸５１５から退避すると、（１１）の状態になり、ソータ７００に向かって下り坂になっている巻取部底面１６９に写真原稿収容容器５１０が落とされ、写真原稿収容容器５１０は巻取部底面１６９に沿ってソータ７００に落下する。そして、（１２）で、新たな写真原稿収容容器５１０が供給される。
【０１４６】
次に、図３３、図３４で、写真原稿送出部６３０の動作を説明する。写真原稿送出部６３０にセットされた写真原稿を収容した写真原稿収容体５１０から写真原稿を取り出す経過の順に番号をふった。
【０１４７】
（１）で、写真原稿送出部６３０に写真原稿収容体５１０をセットする。写真原稿送出部６３０には、写真原稿送出部６３０にセットされた写真原稿収容容器５１０の中空軸５１５に進入し、内側からのチャック機構により写真原稿収容容器５１０を保持するチャック部６３４、このチャック部６３４を回転させることにより写真原稿収容容器５１０を回転させる図示しない写真原稿収容容器回転駆動部、マットシート５１６の先端部を一時的に粘着して巻き取るための粘着リール６３６、この粘着リール６３６を回転させる粘着リール回転駆動部６３５、マットシート５１６の先端部を粘着リール６３６に押し当てて一時的に粘着する押当部材６３７、押当部材６３７の上部にあり反射光でマットシート５１６の先端部が粘着リール６３６の高さまで下りてきたことを検出するシート検出部６３８、写真原稿収容容器５１０に巻き取られているマットシート５１６の周面に先端を軽く押し当て可能な突起６４１、突起６４１をマットシート５１６の周面に押し当てたり外したりする突起回動部材６４２、突起６４１から写真原稿送出口１８１に写真原稿Ｆを案内する案内部材６４３、写真原稿Ｆが粘着リールに接しないようにガードする案内ガード６４４が案内部材６４３の下側にある。そして、セットされた写真原稿収容容器５１０の中空軸５１５の中に、チャックを閉じた状態でチャック部５２１を進入させる。そして、チャック部５２１が適切な位置まで進入した所でチャックを開き、写真原稿収容容器５１０を保持する。
【０１４８】
そして、（２）で、突起６４１をマットシート５１６の周面から外した状態で、図示しない写真原稿収容容器回転駆動部が写真原稿収容容器５１０を図３３では左方向に回転させ、マットシート５１６の先端部５１９をマットシート５１６の周面から分離する。そして、所定量回転してシート検出部６３８がマットシートを検出したら（３）に進む。また、もし所定量回転してシート検出部６３８がマットシートを検出しなければ、突起６４１の右側にマットシートが下りているので、写真原稿収容容器５１０を図３３では右方向に先の所定量＋α巻き戻し、もう一度やり直す。そして、（３）で、押当部材６３７がマットシート５１６の先端部を粘着リール６３６に押し当てて一時的に粘着する。
【０１４９】
そして、押当部材６３７が退避し、突起６４１がマットシート５１６の周面に押し当てた状態になり、写真原稿収容容器５１０と粘着リール６３６を図３３では左方向に回転させ、（４）の状態になり、マットシートの先端部５１９を巻き取ることに伴って、マットシートの半接着部５１８の接着が剥がされる。そして、（５）の状態になる。すなわち、写真原稿の先端が突起６４１によりマットシート５１６の周面から離され、その巻癖により、突起６４１から案内部材６４３により写真原稿送出口１８１に案内する。たまに、巻癖の弱い写真原稿があるが、この場合、案内ガード６４４により粘着リール６３６に写真原稿が接しないようにしながら、写真原稿を写真原稿送出口１８１に案内する。そして、写真原稿Ｆが送りだされ始めたことを検出すると、突起６４１がマットシート５１６の周面から外れた状態になる。
【０１５０】
そして、（６）の状態になる。すなわち、写真原稿Ｆが全て送りだされる。そして、写真原稿Ｆが全て送りだされたことを検出すると、逆方向（図３４では右方向）に回転し、マットシートを巻き取り始める。そして、（７）の状態になって、マットシートの先端部５１９が粘着リール１６６から引き剥がされる。この時のトルクが上昇したことを検知して、突起６４１がマットシート５１６の周面に押し当てる状態になる。そして、（８）のようにマットシートの先端部５１９も巻き取られると、図示しない排出ボックスに排出される。
【０１５１】
次に、画像処理装置について説明する。図３５の画像処理装置のブロック図に示すように、画像処理装置Ａ〜Ｃは、撮像部４００などから送信されたデジタル画像を受信する画像入力Ｉ／Ｆ９２０と、画像入力Ｉ／Ｆ９２０が受信したデジタル画像を記憶する入力画像メモリ９３１と、入力画像メモリに記憶されたデジタル画像からシミュレーション画像を作成したり、画像処理装置全体を制御したりする画像処理制御部９３３と、画像処理制御部９３３で作成されたデジタル画像であるシミュレーション画像を記憶するシミュレーション画像メモリ９７１と、シミュレーション画像メモリ９７１に記憶されているシミュレーション画像から表示画像を作成し、モニタに表示させる表示制御部９７３と、表示制御部９７３からの信号により、表示画像を表示するモニタ９１０と、表示画像、画像処理及び画像出力に関する指示を入力する指示入力部９９０と、入力画像メモリ９３１に記憶されたデジタル画像から画像処理を実行する画像処理実行部９３５と、画像処理実行部９３５の画像処理により得られた出力デジタル画像を記憶する出力画像メモリ９３７と、出力画像メモリ９３７に記憶された出力デジタル画像を送信する画像出力Ｉ／Ｆ９４０と、他の装置からの制御情報を入出力する制御Ｉ／Ｆ９５０と、制御Ｉ／Ｆ９５０を通して他の装置や本装置を制御する全体制御部９６３と、操作者に対する様々な指示画面を記憶する制御画像メモリ９６１を有する。
【０１５２】
そして、全体制御装置３００と画像処理装置Ａ〜Ｃとは相互に置換可能であることが好ましく、この場合、画像処理装置Ａ〜Ｃでは、全体制御装置３００の全体制御部３６３及び制御画像メモリ９６１としての機能を停止しているが、実際には、全体制御装置３００の制御画像メモリ９６１に相当するメモリはシミュレーション画像メモリ９７１の一部として使用され、全体制御装置３００の全体制御部３６３に相当するＣＰＵは、走らせるプログラムを変えることによって、画像処理実行部９３５として機能している。
【０１５３】
画像処理装置Ａ〜Ｃにおける画像処理は、まず、制御Ｉ／Ｆ９５０を通して画像処理制御部９３３に、全体制御装置３００から状態情報を要求されると、画像処理制御部９３３は、当該画像処理装置自体が使用可能か否かの情報と、現在使用中であれば、当該画像処理装置自体が後どの程度で別の作業者が使用可能となるかの情報である状態情報を制御Ｉ／Ｆ９５０を通して全体制御装置３００に伝える。そして、制御Ｉ／Ｆ９５０を通して画像処理制御部９３３に、画像処理装置に特定されたことが伝えられると、画像処理制御部９３３は画像処理装置として特定されたことが設定される。画像処理装置として特定されたことが設定されると、そのオーダの画像処理の終了又は中止が入力されるか初期化されるまで、状態情報が要求されると、当該画像処理装置からの状態情報として、画像処理装置が使用中で、当該画像処理装置が後どの程度で別の作業者が使用可能となるか不明であると送信することになる。
【０１５４】
そして、全体制御装置３００から制御Ｉ／Ｆ９５０を通して画像処理制御部９３３に、画像入力Ｉ／Ｆ９２０からデジタル画像を受信するよう伝えられると、画像処理制御部９３３は、画像入力Ｉ／Ｆ９２０がデジタル画像を受信し、画像入力Ｉ／Ｆ９２０が受信したデジタル画像を入力画像メモリ９３１が記憶するように制御する。また、同時に、制御Ｉ／Ｆ９５０がオーダ情報を受信し、画像処理制御部９３３に伝えられ、画像処理制御部９３３はオーダ情報を設定する。
【０１５５】
そして、画像処理制御部９３３は入力画像メモリに記憶されたデジタル画像からシミュレーション画像を作成したり、表示制御部９７３を制御してモニタ９１０に適切なシミュレーション画像を表示させたり、指示入力部９９０から操作者に指示入力させたりして、出力デジタル画像を得るための画像処理の内容と画像出力の仕様（サイズと数）を決定する。
【０１５６】
そして、画像処理制御部９３３は決定した画像処理の内容を画像処理実行部９３５に伝え、画像処理実行部９３５は入力画像メモリに記憶されたデジタル画像から出力デジタル画像を得るために、決定した画像処理の内容に従って、画像処理を実行する。そして、画像処理実行部９３５により画像処理され得られた出力デジタル画像は出力画像メモリ９３７に記憶される。そして、画像処理制御部９３３が、画像出力準備状態であることと、その出力デジタル画像のオーダのオーダ名（オーダ情報）と画像出力の仕様（サイズと数）とを、制御Ｉ／Ｆ９５０を通して全体制御装置３００に伝える。
【０１５７】
そして、全体制御装置３００から出力デジタル画像を送信するよう制御Ｉ／Ｆ９５０を通して画像処理制御部９３３に伝えられると、出力画像メモリ９３７から出力デジタル画像を１つずつ画像出力Ｉ／Ｆから送信させる。
【０１５８】
なお、画像処理装置は、撮像部４００で撮像された写真原稿の複数の駒の画像を並べたインデックスプリントデジタル画像を作成し、必ず出力デジタル画像として送信する。そうすることにより、露光部２１０はインデックスプリント用画像の露光を行い、必ずインデックスプリントが作成されることになる。
【０１５９】
また、プリントサイズが葉書サイズの場合、２つの同じ画像又は異なる画像の葉書サイズプリントを幅方向に並べた出力デジタル画像を作成し、送信することで、露光部２１０から幅方向に並べられた複数の葉書サイズの画像がプリント用ハロゲン化銀写真感光材料に露光されるので、簡単な構造で、所定の葉書サイズ幅に切断される印画紙を有効に利用でき、露光されない印画紙の割合を無くすことができる。
【０１６０】
そして、画像処理装置Ａ〜Ｃで画像処理して得られた出力デジタル画像は画像処理装置Ａ〜Ｃの画像出力Ｉ／Ｆ９４０から露光部２１０に送信され、印画紙に露光され、現像処理され、プリントになる。この装置本体６６０の印画紙に露光し、現像処理し、プリントにする工程の概略断面図を図２０に示す。以下、本実施形態の画像処理システムの印画紙から見た手順を示すフロー図である図３６と図２０に基づいて、印画紙から見た流れに従って説明する。
【０１６１】
先ず、Ｓ６１で、マガジン６７０、６９０から印画紙を供給する。マガジン６７０やマガジン６９０（図２０ではマガジン６７０の方を示す）は、印画紙Ｐをロール状に巻軸６７５に巻き回転自在に保持している。マガジンの上部には、把手６７３が引出し可能に設けられている。そして、マガジンの入口に遮光しながら印画紙を送りだす送出ローラ対６７７が設けられている。そして、マガジン６７０やマガジン６９０を交換する際には、装置本体６６０を外枠６００から引出し、後処理部５５０を倒して、把手６７３を持って交換する。そして、マガジン６７０から送りだされた印画紙は露光部収容体２００の送給ローラ群２０５（図２０ではその一部のみ図示する）により、露光部２１０に送られる。
【０１６２】
そして、Ｓ６２で、マガジン６７０、６９０から供給された印画紙は、所定の長さに切断される。この切断について以下説明する。マガジン６７０から露光部２１０までの間に、印画紙を所定の長さに切断するカッタ２０１がある。このカッタ２０１による印画紙の切断パターンを図３７に示す。図３７に示すように、露光部２１０の手前に設けられたカッタ２０１で、Ｌ幅サイズマガジン６７０から送り出された８９ｍｍ幅の印画紙を３２５ｍｍ（６５ｍｍ（大名刺サイズ）の５枚分）・２７５ｍｍ（５５ｍｍ（名刺サイズ）の５枚分）・２５４ｍｍ（パノラマサイズ）・１５８ｍｍ（ハイビジョンサイズ）・１２７ｍｍ（Ｌサイズ）など適切な長さに切断し、また、Ａ４幅マガジン６７０から送り出された２９７ｍｍ幅の印画紙を２１０ｍｍ（Ａ４サイズ）・１４８ｍｍ（葉書サイズ２枚分）に切断する。
【０１６３】
そして、Ｓ６３で、所定の長さに切断された印画紙Ｐが、後述するように、露光部２１０が受信した出力デジタル画像に応じた露光をされる。そして、Ｓ６４で、図２０に示すように、露光部２１０で露光された印画紙Ｐがペーパー現像処理部４に送られ、現像処理槽４Ｐ、漂白定着槽４Ｑ、第一安定処理槽４Ｒ、第二安定処理槽４Ｓ、第三安定処理槽４Ｔを通って乾燥部４Ｕで乾燥されることにより、現像処理され、プリントとなって後処理部５５０に送られる。
【０１６４】
そして、Ｓ６５で、全体制御部３６３は、現像処理された印画紙（プリント）が後切断必要なものか否か判断する。その間、プリントは、印画紙の通過を検出する印画紙通過検出部５５１、印画紙の幅の位置を規定する印画紙幅位置規制器５５３、印画紙幅位置規制器５５３で幅位置を規制された印画紙の所定位置の濃度を測定する濃度計５５５を通って、ローラ５５９、印画紙を所定の幅に切断する所定幅カッタ５６３、３２５ｍｍ（６５ｍｍ（大名刺サイズ）の５枚分）・２７５ｍｍ（５５ｍｍ（名刺サイズ）の５枚分）のＬ幅の印画紙を６５ｍｍ（大名刺サイズ）・５５ｍｍ（名刺サイズ）に切断する所定長カッタ５７１を通る。
【０１６５】
そして、Ｓ６５で、後切断が必要であると判断された場合は、Ｓ６６で、所定幅カッタ５６３や所定長カッタ５７１で、プリントの後切断がなされる。
【０１６６】
そして、Ｓ６７で、プリントをソータ７００に供給し、ソータ７００で、プリントのオーダに応じたソータビンにソートされる。そして、オーダのプリントのソートが終了すると、Ｓ６８で、操作者がプリントを取り出すことができるようになり、ソータ７００からプリントを取り出される。
【０１６７】
ここで、露光部２１０の前の露光部収容体２００での搬送速度（露光部２１０へ供給する図示しないローラ群の搬送速度）、及び、ペーパー現像処理部４の搬送速度は、９９．５％以上の確度で±１０％以内にある。露光部２１０の搬送速度は、９９．５％以上の確度で±１％以内にある。また、露光部２１０の前の露光部収容体２００での平均搬送速度、ペーパー現像処理部４の平均搬送速度及び露光部２１０の平均搬送速度は同じである。そして、露光部２１０の前の露光部収容体２００での搬送速度及びペーパー現像処理部４の搬送速度は、露光部２１０の搬送速度と、９９．５％以上の確度で互いに±１０％以内にあるので、露光部２１０とペーパー現像処理部４の一方の能力の無駄が少ない。
【０１６８】
なお、露光部２１０の後の搬送ローラ群２１９は、基本的に、搬送している印画紙が露光部２１０と跨がるときは、露光部２１０と搬送速度が同じになるように、搬送している印画紙がペーパー現像処理部４と跨がるときは、ペーパー現像処理部４と搬送速度が同じになるように、制御されているワンウエイクラッチ内蔵型の搬送ローラで、露光部２１０とペーパー現像処理部４との間で張力が発生しないようにしている。
【０１６９】
次に、露光部２１０を説明する。露光部２１０を設けられた装置本体６６０を、車輪により移動させることができ、露光部２１０に強い振動や衝撃を与えずに移動させるだけで、外枠６００から外に移動させることができる。また、露光部２１０は露光部収容体２００の中にあり、装置本体の表面に露光部収容体２００があるので、装置本体６６０を外枠６００の外に移動させるだけで、露光部２１０のメンテナンスができ、露光部２１０のメンテナンス（埃の除去や性能の劣化した露光アレイの交換など）ができる。
【０１７０】
次に、露光部２１０の構成について説明する。図３８に露光部２１０の概略構成図を示す。印画紙を保持しながら密着搬送する透明円筒支持体２２５と、印画紙の幅以上の幅を有する露光アレイを有するｂ，ｇ，ｒの露光素子部２３０と、露光素子部２３０を保持するｂ，ｇ，ｒの露光アレイ保持部２３５と、いずれの露光素子部２３０よりも透明円筒支持体２２５の回転方向上流側に設けられた供給された印画紙の幅位置を検出する幅位置検出センサ２２４と、幅位置検出センサ２２４やｂ，ｇ，ｒの露光アレイ保持部２３５を保持する保持台２２１と、透明円筒支持体に印画紙を押し当てながら搬送する搬送ベルト２１１と、搬送ベルトを回転駆動しながら保持する回転駆動入口ローラ２１３と、搬送ベルト２１１を保持するローラ２１２、搬送ベルトの出口部を保持する出口保持ローラ２１５と、出口ローラと対になっている出口ローラ２１４と、印画紙を搬送ベルトに供給する搬送ローラ群の先端部ローラ２１５と、印画紙を透明円筒支持体２２５から剥がす剥離部材２２７と、を有する。
【０１７１】
そして、感光面を外側にして長尺状プリント用ハロゲン化銀カラー写真感光材料を収容するマガジンからプリント用ハロゲン化銀カラー写真感光材料を供給するので、供給される印画紙の巻癖は透明円筒支持体２２５の円筒面と逆となる。これにより、搬送ベルト２１１の透明円筒支持体２２５からの乖離部で、印画紙の巻癖で自動的に印画紙が透明円筒支持体２２５から離れる。しかし、印画紙には腰の弱いものもあるので、剥離部材２２７を設けることが好ましい。これにより、より確実に透明円筒支持体２２５から印画紙を剥がすことができる。
【０１７２】
また、ｂ，ｇ，ｒの露光素子部２３０により露光される位置の搬送ベルト２１１を透明円筒支持体２２５に押し当てながら回転する回転ローラ２２９を設けることにより、印画紙をより強く透明円筒支持体２２５に押し当てることになり、露光域で印画紙が透明円筒支持体２２５から浮き上がり、露光素子部２３０からの露光のピントが外れることを防止する。
【０１７３】
また、露光アレイ保持部２３５は円周方向、半径方向、主走査方向に位置決めの基準となる円周方向位置基準点突起２３７、半径方向位置基準点突起２３９、図示しない走査方向位置基準点突起を有する。保持台２２１は、これらの位置基準突起に対応する位置に、円周方向位置基準面突起２２２、半径方向位置基準面突起２２３、図示しない走査方向位置基準面突起を有する。これらにより、取り付けの精度・生産性を大幅に向上させることができる。
【０１７４】
なお、変形実施形態として、ｂ，ｇ，ｒの露光素子部２３０と、露光素子部２３０を保持するｂ，ｇ，ｒの露光アレイ保持部２３５と、いずれの露光素子部２３０よりも透明円筒支持体２２５の回転方向上流側に設けられた供給された印画紙の幅位置を検出する幅位置検出センサ２２４と、幅位置検出センサ２２４やｂ，ｇ，ｒの露光アレイ保持部２３５を保持する保持台２２１を透明円筒支持体２２５の外側に設け、透明円筒支持体２２５の外側から露光するようにしてもよい。
【０１７５】
この場合、感光面を内側にして長尺状プリント用ハロゲン化銀カラー写真感光材料を収容するマガジンからプリント用ハロゲン化銀カラー写真感光材料を供給すると、供給される印画紙の巻癖は透明円筒支持体２２５の円筒面と逆となり、搬送ベルト２１１の透明円筒支持体２２５からの乖離部で、印画紙の巻癖で自動的に印画紙が透明円筒支持体２２５から離れる。また、透明円筒支持体２２５の代わりに不透明な円筒支持体であってもよい。
【０１７６】
次に、露光素子部２３０について説明する。図３９に露光素子部２３０の周辺の概略を示す。（Ａ）は断面図で、（Ｂ）は斜視図である。露光素子部２３０は露光アレイ保持部２３５に固着されている。本実施形態の露光素子部２３０はＬＥＤ発光素子２３１が一列に並んだ露光アレイ２３２が露光アレイ収容ボックス２３３に収容され固着されており、また、露光アレイ収容ボックス２３３の露光アレイ２３２より半径方向（図３９ではｚ方向）外側にＬＥＤ発光素子２３２の光を透明円筒支持体の外周面に結像させるためのアレイ状の等倍結像レンズ２３４が設けられている構造のものである。これら図３９で黒丸で示すアレイ状の等倍結像レンズ２３４の露光アレイ収容ボックス２３３への固着や図示しない露光アレイ２３２の露光アレイ収容ボックス２３３への固着や図示しない露光アレイ収容ボックス２３３の露光アレイ保持部２３５への固着は、各々、円周方向（図３９ではｙ方向）、半径方向（図３９ではｚ方向）、主走査方向（図３９ではｘ方向）に位置決めの基準となる前述の位置基準点突起と位置基準面突起の組み合わせで、取り付けの精度・生産性を大幅に向上させることができる。
【０１７７】
なお、２１０ｍｍ幅の印画紙と８９ｍｍ幅の印画紙とを並行して搬送させ、これらの印画紙の搬送の幅方向の間隔を３０ｍｍとすると、ｂ，ｇ，ｒ毎に各１つづつである露光アレイ２３２は、合計２５９ｍｍの幅が有れば理論上は問題ないが、実際は２７０ｍｍ程度の幅がある方が好ましい。すなわち、各々の露光アレイ２３２は、露光される最大の印画紙の幅よりも１ｃｍ程度大きい幅である方が好ましい。なぜなら、印画紙が透明円筒状支持体に供給されたとき多少ずれても、印画紙の全面を露光できるからである。なお、２１０ｍｍ幅の印画紙用に２２ｃｍ程度の露光アレイと８９ｍｍ幅の印画紙用に１０ｃｍ程度の露光アレイとを用いてもよい。
【０１７８】
次に、図４０に露光部２１０のブロック図を示す。画像受信Ｉ／Ｆ２８０で受信された出力デジタル画像はメモリ２４５に一旦記憶される。メモリ２４５から出力デジタル画像を読み出しデジタル処理部２５０が、ペーパー現像条件の影響の補正や露光素子部２３０のシェーディングの補正などの露光部の特性の補正を行い、補正デジタル信号を一時記憶メモリ２４７に記憶させる。一時記憶メモリ２４７に記憶された補正デジタル信号をＤ／Ａ変換部２４９でＤ／Ａ変換し、アナログ処理部２６０で走査露光信号に変換し、露光素子部２３０に送り、露光素子部２３０が印画紙に露光する。
【０１７９】
なお、プリントサイズが大名刺サイズや名刺サイズの場合、同じ画像を５回繰り返して露光することにより、大名刺サイズや名刺サイズのプリント５枚分の画像を露光する。これは、これらのサイズのプリントは後処理部５５０で所定の長さに切断されるからである。
【０１８０】
また、制御部２４１は、幅位置検出センサ２２４が検出した印画紙の幅位置や、全体制御装置３００からの制御信号に基づいて、画像受信Ｉ／Ｆ２８０、メモリ２４５、デジタル処理部２５０、一時記憶メモリ２４７、アナログ制御部２４３を制御する。例えば、幅位置検出センサ２２４が検出した印画紙の幅位置に応じて、露光画像の幅方向の位置を制御するために、アナログ制御部２４３を制御する。これにより、印画紙が透明円筒支持体２２５に供給されたとき多少ずれても、印画紙の全面を露光できる。
【０１８１】
また、搬送検出部２９０は透明円筒支持体の回転を検出して、搬送信号を制御部２４１とアナログ制御部２４３に送る。アナログ制御部２４３は、搬送信号に基づいて、一時メモリ２４７、Ｄ／Ａ変換部２４９、アナログ処理部２６０、露光素子部２３０のタイミングを制御し、また、制御部２４１からの露光画像の幅方向の位置に関する情報に基づいて、露光画像の幅方向の位置を制御する。これによって、印画紙が透明円筒支持体２２５に供給されたとき多少ずれても、印画紙の全面を露光できる。
【０１８２】
さらに、露光画像の幅を印画紙の幅よりも広くすることにより、幅方向の位置を検出した後に、印画紙の幅方向の位置が多少ずれても、また、多少斜めになっても、印画紙の全面を露光でき、幅方向の端に未露光の部分の白筋や黒筋ができることを防止する。本実施形態では、幅方向の両側に２ｍｍだけ広い露光画像にしている。
【０１８３】
また、露光画像の長さを切断された印画紙の長さよりも広くすることにより、タイミングを検出した後に、透明円筒支持体に対して進行方向に印画紙が多少ずれても、印画紙の全面を露光でき、長さ方向の端に未露光の部分の白筋や黒筋ができることを防止する。本実施形態では、両長さ方向に２ｍｍだけ広い露光画像にしている。
【０１８４】
なお、このような広い露光画像は、画像処理装置で出力デジタル画像を作成するときに、このような広い露光画像となる出力デジタル画像を作成することで、得られる。そして、この広くなった部分は、画像の外周部が写真画像であれば、その写真画像の続きの部分が、画像の外周部が縁画像であれば、その縁画像と連続する画像が露光される。
【０１８５】
このように露光された印画紙は、図２０に示すように、ペーパー現像処理部４の現像処理槽４Ｐ、漂白定着槽４Ｑ、第一安定化槽４Ｒ、第二安定化槽４Ｓ、第三安定化槽４Ｔ、乾燥部４Ｕを通って後処理部５５０に供給される。後処理部５５０には、プリントの通過を検出するプリント検出センサ５５１、プリント検出センサ５５１によるプリントの先端の通過の検出信号と搬送機構の搬送信号によって測定タイミングを取りながら、プリントの所定の位置の濃度を測定する濃度計５５５、濃度計５５５におけるプリントを裏から支持する支持台５５３、図示しない濃度計５５５におけるプリントの幅方向の位置を決めるガイド、プリント検出センサ５５１による検出信号と搬送機構の搬送信号によって測定タイミングを取りながら、プリントを所定の幅に切断する所定幅切断手段５６３、プリント検出センサ５５１による検出信号と搬送機構の搬送信号によって測定タイミングを取りながら、プリントを所定の長さに切断する所定長切断手段５７１をプリント搬送方向でこの順に有し、また、プリントを所定の速度で自動的に搬送する搬送機構（その搬送ローラの一部をローラ５５９を示す。）を備えている。
【０１８６】
そして、濃度計５５５は、露光部２１０に基準露光条件設定用の露光をされたプリントの所定の位置の濃度を測定する。そして、この濃度を全体制御装置９００に送信する。そして、全体制御装置３００は露光部２１０にその濃度情報を送信し、露光部２１０はそれから基準露光条件を設定して、設定した基準露光条件に基づいて露光する。
【０１８７】
次に、所定幅カッタ５６３や所定長カッタ５７１周辺の概略斜視図を図４１に示す。ローラ５５９と対向ローラ５６１の間に設けられたガイドによりプリントの幅方向の位置を所定の位置に位置づける。そして、所定幅カッタ５６３は、印画紙を所定の幅に切断する。具体的には、所定幅カッタ５６３が、Ａ５サイズに切断されてくる葉書サイズプリントを所定幅の２つの葉書サイズプリントに切断する。なお、所定幅カッタ５６３に対向する対向ローラ５６１が、この所定幅カッタ５６３に対して印画紙を保持する台になっている。また、所定幅カッタ５６３の両側には抑えローラ５６５・５６６が印画紙を抑えている。そして、図示しない所定幅カッタ移動部材は、全体制御装置３００からの切断指示信号に基づいて、所定幅カッタ５６３を対向ローラ５６１に押し当てるように位置づけて、Ａ５サイズに切断されてくるプリントだけを所定幅の２つの葉書サイズプリントに切断するようにする。ここで、所定幅カッタ５６３がプリントを所定の幅に切断する際には、既にプリントは各々所定の長さに切断されているので、所定幅に切断するプリントから切断しないプリントへ、又、所定幅に切断しないプリントから切断するプリントへ切り換えられても、切断しすぎや切断不足を発生させずに、所定幅の切断を行うことができる。
【０１８８】
次に、所定長カッタ５７１は、３２５ｍｍ（６５ｍｍ（大名刺サイズ）の５枚分）のＬ幅の印画紙を６５ｍｍ（大名刺サイズ）づつに切断し、２７５ｍｍ（５５ｍｍ（名刺サイズ）の５枚分）のＬ幅の印画紙を５５ｍｍ（名刺サイズ）づつに切断するものである。そして、その前後には、保持ローラ対５７５・５７７があり、印画紙を保持している。そして、所定長カッタ５７１に対向して、台５７３がある。そして、全体制御装置３００からの切断指示信号に基づいて、３２５ｍｍ（６５ｍｍ（大名刺サイズ）の５枚分）のＬ幅の印画紙を６５ｍｍ（大名刺サイズ）づつに、２７５ｍｍ（５５ｍｍ（名刺サイズ）の５枚分）のＬ幅の印画紙を５５ｍｍ（名刺サイズ）づつに切断する。所定長カッタ５７１で切断する際には、保持ローラ対５７５・５７７が一旦停止して、大名刺サイズ又は名刺サイズに切断する。この所定長カッタ５７１が後処理部の最後にあるのは、所定長に切断する機構を簡単にするために一旦プリントを停止させるようにするためと、所定長に切断する機構以降の搬送機構は大名刺サイズ又は名刺サイズのプリントを搬送しなければならず、ローラ間隔を狭くする又は搬送ベルトにするなど単位長さ当たりの搬送機構のコストが高いので、その区間を狭くしたいためである。
【０１８９】
そして、所定長カッタ５７１を通って、プリントはソータ７００に供給される。なお、後処理部５５０とソータ７００は弾性部材を介して接している。
【０１９０】
次に、ソータ７００を説明する。図１５にソータの概略断面図を示す。また、図４２にソータ内部の概略斜視図を示す。このソータ７００の最大の特徴は、プリントや写真原稿収容体をオーダに応じたソータビンにランダムに供給できる点にある。以下、このソータ７００の機構を説明する。
【０１９１】
現像処理された印画紙、すなわちプリントは、プリント供給口７６８から斜面７６９を通って、プリント搬送ベルト７６３に供給される。プリント搬送ベルト７６３には、送り爪７６１が２か所対称位置に設けられている。このプリント搬送ベルト７６３はベルト駆動軸７６７により回動駆動される。そして、プリント搬送ベルト７６３の他端はローラ７６５に掛け渡されている。そして、このプリント搬送ベルト７６３が回動することで、プリントが落とし空間７８３に落とされる。ソータビン７４１〜７４６の落とし空間７８３側には開閉部材７５１〜７５６が有り、落とし空間７８３に落とされるプリントのオーダに応じた開閉部材７５１〜７５６が落とし空間７８３側に開くことによりプリントを受け取る。そして、ソータビン７４１〜７４６は斜面になっており、受け取ったプリントを蓋７１１〜７１６側に滑り込ませるようにしている。なお、図１５では、開閉部材７５５が開いて、ソータビン７４５がプリントを受け取っているところを点線で示す。
【０１９２】
また、写真原稿収容体５１０は写真原稿収容体供給口７９８を通って、ガイド７９７で飛び出さないように保持されながら、斜面７９９を滑り、写真原稿収容体コンベア７９３に設けられた写真原稿収容体一時保持部７９１に保持されるようになっている。そして、写真原稿収容体コンベア７９３はプリント搬送ベルト７６３と同じくベルト駆動軸７６７により回動駆動される。これにより、１つの駆動モータでプリントと写真原稿の両方を仕分けることができる。写真原稿収容体コンベア７９３は他端を図では点線で示すローラ７９５に掛け渡されている。写真原稿収容体一時保持部７９１は通常斜め上方を向いており、写真原稿収容体５１０を保持するが、写真原稿収容体５１０のオーダに応じたソータビン７４１〜７４６に対応する位置である一時保持部開放位置で、斜め下方に開き、写真原稿収容体５１０をソータビン７４１〜７４６に供給する。図１５では、ソータビン７４３に対応する一時保持部開放位置で、写真原稿収容体一時保持部７９１が停止して開き、ソータビン７４３に写真原稿収容体５１０を供給している所を点線で示す。なお、ソータ７００と撮像部収容体１００とは弾性部材を介して接している。
【０１９３】
これにより、図４２で、ソータビン７４１〜７４６の左側にインデックスプリントを含むプリントが右側に写真原稿収容体５１０がそれぞれ供給されるので、ソータビン７４３内でプリントと写真原稿収容体５１０とが重なりあって、プリントを傷めることを防ぎつつ、同じソータビンに同じオーダのインデックスプリントを含むプリントと写真原稿収容体５１０とが収容されるので、取り出しが容易で取り出し忘れも防止できる。
【０１９４】
そして、ソータ７００を囲む外枠は不透明な金属板でできているので、インデックスプリントを含むプリント及び写真原稿収容体を取り出す取出口を除く方向全てを非透明部材により囲まれていることになり、出来たプリントを外から見られにくい。また、各ソータビンの取出口には蓋７１１〜７１６があり、また、蓋７１１〜７１６も不透明な金属板でできており、より外から見られにくい。
【０１９５】
そして、これらプリント搬送ベルト７６３と写真原稿収容体コンベア７９３とソータ台７８１に囲まれた空間に廃液処理部８００がある。フィルム現像処理部１やペーパー現像処理部４から出る廃液を廃液処理部８００に移送するためのパイプは伸縮自在の樹脂製パイプでできており、装置本体６６０の後端が外枠６００の前面より前に出しても、フィルム現像処理部１やペーパー現像処理部４と廃液処理部８００との間を支障なく結ぶ。
【０１９６】
次に、画像処理装置が画像処理して得た出力デジタル画像から画像出力する露光部２１０を有する露光部収容体２００、ペーパー現像処理部４、後処理部５５０、ソータ７００を全体制御部３６３が制御する手順を説明する。まず、画像処理装置Ａ〜Ｃから、出力デジタル画像が作成される度に、画像出力準備状態であることと出力デジタル画像のオーダ名（オーダ情報）及び画像出力の仕様（サイズと数）を制御Ｉ／Ｆ３５０を通して全体制御部３６３に伝える。すると、現在、露光待ちの画像出力の次の順番に設定される。
【０１９７】
そして、画像出力の順番が来る前の時点又は露光待ちの画像出力が無ければ直ちに、全体制御部３６３は制御Ｉ／Ｆ３５０を通して、ペーパー供給部２５０を制御して、出力デジタル画像の画像出力の仕様（サイズと数）に応じた印画紙を供給させて、画像処理装置を制御して、当該出力デジタル画像を送信させ、露光部２１０を制御して、当該出力デジタル画像を受信させ、露光部２１０に受信した出力デジタル画像から印画紙に露光させる。そして、全体制御部３６３は、そのオーダに対応するソータビンを特定しているか否か判断し、特定している場合はそのオーダに対応するソータビンを記憶し、そのオーダに対応するソータビンを特定していない場合は、そのオーダに対応するソータビンを特定し、また、露光された印画紙とオーダ名（オーダ情報）との対応を記憶する。なお、フィルムを現像処理して得られた写真原稿を撮像して得られたデジタル画像を画像処理して得られた出力デジタル画像から露光する場合は、既にその写真原稿を収容した写真原稿収容体を仕分けるためのソータビンは特定されているので、そのオーダのソータビンは特定されている。
【０１９８】
そして、この印画紙は露光された順番に後処理部５５０にもソータ７００にも供給されるので、露光部２１０で露光した順番とオーダ名（オーダ情報）とを対応して記憶しておくことで、全体制御部３６３は、制御Ｉ／Ｆ３５０を通して画像出力の仕様（サイズと数）に応じた後処理を行わせるように後処理部５５０を制御でき、そして、露光された印画紙とオーダ情報（オーダ名）との対応から、ソータ７００に供給されるプリントをそのオーダに対して特定されたソータビンに収容するように、ソータ７００を制御Ｉ／Ｆ３５０を通して制御する。
【０１９９】
そして、画像処理装置から画像出力終了を制御Ｉ／Ｆ３５０を通して全体制御部３６３に伝えられると、そのオーダのプリントＰと写真原稿収容体５１０を取り出してもらうため、全体制御部３６３はそのオーダに対応するソータビンを取り出し可能にするために、そのソータビンに対応する蓋を開くことができる状態にし、そのソータビンに対応する案内灯を点灯させるために、制御Ｉ／Ｆ３５０を通してソータ７００を制御する。このようにして、同じ１つのオーダに属するプリント（同じオーダ名（オーダ情報）のプリント）が同じ１つのソータビンに収容され、１つのソータビンから１つのオーダに属する全てのプリントを取り出すことができ、操作者がプリントを残して帰ることを防げる。
【０２００】
なお、そのオーダが写真原稿収容体を含むものであれば、写真原稿収容体も同様にして同じオーダのプリントとともにそのオーダのソータビンに供給されるし、また、インデックスプリントも同じオーダのプリントとともにそのオーダのソータビンに供給され、１つのソータビンから１つのオーダに属する全てのプリント、写真原稿収容体、インデックスプリントを取り出すことができ、操作者がプリント、写真原稿収容体又はインデックスプリントを残して帰ることを防げる。
【０２０１】
次に、ソータ７００の制御について説明する。図４３にソータ７００の制御ブロック図を示す。全体制御装置３００からの制御信号が制御Ｉ／Ｆ７７３を通って、制御部７７１に伝えられる。制御部７７１は全体制御装置３００からの制御信号に基づいて、ベルト駆動軸７６７、開閉部材７５１〜７５６、蓋７１１〜７１６、案内灯７３１〜７３６、写真原稿収容体一時保持部７９１を制御する。そして、蓋７１１〜７１６は、全体制御装置３００からの制御信号である蓋開閉信号に基づいて、開閉する。また、案内灯７３１〜７３６もこの蓋開閉信号に基づいて、蓋を開けという信号が来た時に点灯する。
【０２０２】
また、全体制御装置３００からの制御信号として、プリントがプリント供給口７６８から供給される度に、そのプリントのソータビンの情報が事前に制御部７７１に伝えられる。そして、ソータビンが前回のプリントのソータビンと同じであれば、ベルト駆動軸７６７を動かさず、ソータビンが前回のプリントのソータビンと異なれば、ベルト駆動軸７６７を動かすと同時に、前回のプリントのソータビンに対応する開閉部材７５１〜７５６を開く、すると、ベルト駆動軸７６７の駆動でプリント搬送ベルト７６３が回動することで送り爪７６１がプリントを落とし空間７８３側に押し出し、プリントが落とし空間７８３に落とされる。そして、前回のプリントのソータビンに対応する開閉部材７５１〜７５６を開いているので、前回までのプリントが、前回のプリントに対応するソータビン７４１〜７４６に受け取られる。
【０２０３】
また、写真原稿収容容器５１０が写真原稿収容容器供給口７６８から供給される度に、全体制御装置３００からの制御信号として、その写真原稿収容容器５１０のソータビンの情報が事前に制御部７７１に伝えられる。そして、写真原稿収容体一時保持部７９１が開く一時保持部開放位置を設定する。そして、プリントのソートのためにベルト駆動軸７６７を動かすときに、設定された一時保持部開放位置でベルト駆動軸７６７を一旦停止し、写真原稿収容体５１０を斜め下方に開き、写真原稿収容体５１０をそのソータビンに対応するソータビン７４１〜７４６に供給する。
【０２０４】
なお、プリントのソートのためにベルト駆動軸７６７を動かす前に、写真原稿収容容器５１０が写真原稿収容容器供給口７６８から供給される場合は、現在、プリント搬送ベルト７６３に集積されているプリントのソータビン、すなわち、最近供給されたプリントのソータビンに対応する開閉部材７５１〜７５６を開く、すると、ベルト駆動軸７６７の駆動でプリント搬送ベルト７６３が回動することで送り爪７６１がプリントを落とし空間７８３側に押し出し、プリントが落とし空間７８３に落とされる。そして、前回のソータビンに対応する開閉部材７５１〜７５６を開いているので、そのソータビンに対応するプリントが、そのソータビン７４１〜７４６に受け取られる。また、当時に、設定された一時保持部開放位置でベルト駆動軸７６７を一旦停止し、写真原稿収容体５１０を斜め下方に開き、写真原稿収容体５１０をその写真原稿収容体５１０に対応するソータビン７４１〜７４６に供給する。
【０２０５】
そして、全体制御装置３００から特定されたソータビンを開くよう制御Ｉ／Ｆ７７３を通って、制御部７７１に伝えられると、そのソータビンの蓋７１１〜７１６を開き、そのソータビンに対応する案内灯９３１〜９３６を点灯させる。
【０２０６】
実施形態２
実施形態１の変形形態で、実施形態１が撮像部４００にデジタル画像作成手段に相当するアナログ処理部４５０以下の部分を有するものであるが、本実施形態は、撮像部４００には、画像信号関係の構成要素では、撮像素子部４２０のみあり、これらを各画像処理装置Ａ〜Ｃが、デジタル画像作成手段に相当するアナログ処理部４５０以下の部分を有するものである。すなわち、各画像処理装置Ａ〜Ｃが、図１４に示す各部の内、撮像素子部４２０以外を全て有するものである。そして、この場合、画像処理装置にアナログ信号が送られ、画像処理装置から露光部２１０には出力デジタル画像が送られるので、アナログ信号用のラインが別に設けられている。
【０２０７】
実施形態３
本実施形態は実施形態１の変形形態である。以下、実施形態１と相違する点についてのみ説明する。なお、他は実施形態１と全く同じである。
【０２０８】
実施形態３の外観の３面図を図４４に示す。（Ａ）はソータ７００側から見た左側面図であり、（Ｂ）は正面図であり、（Ｃ）はソータ７００と反対側から見た右側面図である。また、図４５は外枠６００と全体制御装置３００だけの右側面図である。また、図４６はソータ７００の概略断面図である。そして、図４７は、斜め上方から見たイメージ図である。本実施形態は実施形態１と、外枠６００とソータ７００の外観が相違する。本実施形態では、装置本体６６０を囲む外枠６００とソータ７００とが一体感のあるデザインである。
【０２０９】
そして、装置本体６６０を取り囲むように外枠６００とソータ７００を設け、装置本体６６０とは別に脚６０１により固定されており、また、装置本体６６０と、外枠６００及びソータ７００とは弾性部材を介して接続されている。従って、装置を叩いたりぶつかられたりされても、外枠６００又はソータ７００が叩かれたりぶつかられることになり、装置本体６６０とは別に固定されている外枠６００とソータ７００でその振動や衝撃を吸収し、さらに弾性部材でその振動や衝撃を吸収するので、装置本体６６０への振動や衝撃の悪影響を減らすことができる。なお、外枠６００とソータ７００にも車輪６０３が設けられているが、脚６０１により外枠６００とソータ７００を床に固定する際に、車輪６０３が浮き上がるようになっており、外枠６００とソータ７００は脚６０１により床にがっちりと固定されている。また、装置本体６６０も、実施形態１と同様に固定された車輪６６２により固定されている。
【０２１０】
そして、外枠６００の前面６５０が開閉可能であり、外枠６００の前面６５０を開くと、外枠６００の中の装置本体６６０を前方に移動可能させることができるので、装置の側面や後面が塞がれていても、メンテナンスが行いやすい。これにより、振動吸収とメンテナンス性の両立を図り、狭い店舗に設置することもできる。
【０２１１】
また、図４５に示すように、外枠６００の前面６５０や側面が、底面付近Ｖが存在しない形状であり、中部Ｔが凹んだ形状で、上部Ｓ及び床面付近Ｖより上側の下部Ｕが突出した形状である。外枠の前面の中部Ｔが凹んだ形状なので、現像処理装置の前面に膝をぶつけたりしにくく、また、外枠の前面の底面付近Ｖが存在しない形状であるので、つま先をぶつけたりしにくく、また、上部Ｓ及び床面付近Ｖより上側の下部Ｕが突出した形状であるので、操作者が露光装置の装置本体に近づき過ぎることを防止でき、これにより操作者による振動の発生を防止できる。また、外枠が上部Ｓ及び床面付近Ｕより上側の下部Ｖが厚くなるので、操作者による振動をより吸収できる。
【０２１２】
また、図４７では、不特定多数のエンドユーザである操作者に、画像処理装置でできる画像処理の内容を示すための掲示板３８０を外枠６００の裏側に別に固定して設けている。このようにモニタ３１０の裏側に掲示板３８０を設けることで、裏側からモニタ３１０に表示されている画像や操作者の顔を見られることを防ぐことができる。
【０２１３】
また、実施形態１が、プリントや写真原稿収容体をランダムにソータビンに供給できる複数のソータビンを有するソータ７００を有するものであるが、本実施形態は、プリントや写真原稿収容体をランダムにソータビンに供給できる複数のソータビンを有するソータを有しない場合の実施形態である。この場合、全体制御装置３００の全体制御部３６３は、制御Ｉ／Ｆ３５０を介して受信した各画像処理装置９１０Ａ〜Ｃからのオーダ情報に基づき、露光部２１０が、あるオーダの出力デジタル画像から、印画紙に露光しはじめると、そのオーダの出力デジタル画像に対応する露光を終えるまで、他のオーダの出力デジタル画像に対応する露光をしない。
【０２１４】
そして、各々の写真原稿収容容器５１０のフランジ５１２、５１３の外面に個別の番号が付されており、操作時にこの番号をオーダ番号であると表示するようにしている。そして、図４６に示すように、ソータ７００には、写真原稿収容体５１０を操作者が受け取るまで一時的に収容する引出し７１９が設けられており、写真原稿収容体５１０を送り出すための出口７９８からこの引出し７１９に写真原稿収容体５１０が送りだされる。従って、操作者は引出し７１９から自分のオーダ番号が付された写真原稿収容体５１０を探し出して受け取ることになる。
【０２１５】
また、現像処理された印画紙、すなわちプリントは、プリント供給口７６８から、プリント搬送ベルト７６３のプリント受取位置７７１に供給される。プリント搬送ベルト７６３には、送り爪７６１が４か所均等に設けられている。このプリント搬送ベルト７６３はベルト駆動軸７６７により回動駆動される。そして、プリント搬送ベルト７６３の他端はローラ７６５に掛け渡されている。そして、１オーダのプリントの供給が終了すると、このプリント搬送ベルト７６３が回動し、このプリント搬送ベルト７６３が回動することで、プリント受取位置７７１にあったプリントがプリント取出位置７７２に移動し、プリント取出位置７７２にあったプリントが未取出プリント収容ボックス７１８に落とされる。そして、プリントの供給が終了したオーダのプリントをシャッター７１７を開くことで受け取ることができる。また、未取出プリント収容ボックス７１８を開くことで未取出プリント収容ボックス７１８に収容されているプリントを受け取ることができる。
【０２１６】
また、１つのオーダの最後のプリントとして、必ずインデックスプリントを作成するようにして、この写真原稿収容容器５１０のフランジ５１２、５１３の個別の番号と同じオーダ番号をインデックスプリントに記録させるようにすることにより、オーダの対応を取れるようにする。
【０２１７】
実施形態４
本実施形態の画像処理システムは、実施形態１の変形形態である。以下、実施形態１と相違する点のみ説明する。本実施形態の画像処理システムの概略斜視図を図４８に、本実施形態の画像処理システムの全体ブロック図を図４９に示す。本実施形態の画像処理システムには、実施形態１の各部、各装置の他に、操作者によりセットされた反射原稿を撮像して入力デジタル画像を得る反射原稿スキャナ８１０を有し、また、画像処理装置Ａ〜Ｃは、画像処理の内容を決定するためだけの装置で、表示入力装置に該当し、また、決定された内容に基づく画像処理の実行を全体制御装置３００で行うものである。
【０２１８】
なお、本システムでは透過原稿スキャナ４００や反射原稿スキャナ８１０や記録媒体ドライブ９３８などの入力デジタル画像を得る入力システムで、各装置の特性の補正等を行い、入力デジタル画像として所定の画素数（例えば３０００×２０００画素）の所定の規格のＢ，Ｇ，Ｒの入力デジタル画像に変換している。そして、入力デジタル画像は全体制御装置３００に入力され、全体制御装置３００で、入力デジタル画像を画素数減少処理した縮小画像（例えば３００×２００画素）に変換する。そして、全体制御装置３００は、縮小画像を画像処理装置Ａ〜Ｃに送信し、画像処理装置Ａ〜Ｃは、このＢ，Ｇ，Ｒの画像である縮小画像（例えば３００×２００画素）を得て、この縮小画像を色再現処理・画像加工処理・文字画像合成処理などの画像処理の内容に応じて変換した画像をシミュレーション画像として得て、モニタ９１０Ａ〜Ｃに表示させる。画像処理装置Ａ〜Ｃのモニタ９１０Ａ〜Ｃや全体制御装置３００のモニタ３１０に表示される表示画像は入力デジタル画像の色空間と同じ色空間にあるシミュレーション画像からモニタの色空間に変換したものである。
【０２１９】
また、全体制御装置３００の画像処理実行部で、入力デジタル画像をそのままのサイズで、決定された内容の画像処理を実行して、出力デジタル画像を得る。そして、出力システム側で出力デジタル画像を出力システムの色空間への変換を行う。本実施形態では、入力デジタル画像、出力デジタル画像、縮小画像、シミュレーション画像、表示画像の何れもデジタル画像である。
【０２２０】
そして、パトローネをセットしたとき以外では、透過原稿スキャナ４００や反射原稿スキャナ８１０から入力デジタル画像が得られた時に、全体制御装置３００で画像処理する画像処理装置を特定する。特定された画像処理装置Ａ〜Ｃに画像ラインで入力デジタル画像を送り、画像処理装置Ａ〜Ｃで画像処理され得られた出力デジタル画像を画像ラインで露光部２１０に送る。露光部２１０は送られた出力デジタル画像から露光部２１０の特性の影響などを補正し露光信号を得て印画紙に露光する。
【０２２１】
図５０が本実施形態の画像情報の流れを示す説明図である。本実施形態は、図５０に示すように、画像処理装置Ａ〜Ｃは縮小画像から画像処理の内容を決定するだけの画像処理内容決定装置であり、全体制御装置３００の画像処理制御部３３３で入力デジタル画像から画素数減少処理して縮小画像を得て、駆られた縮小画像を画像処理装置Ａ〜Ｃに送信し、画像処理装置で決定された内容の画像処理を入力デジタル画像に施す画像処理実行装置でもある点で実施形態１と相違する。
【０２２２】
先ず、全体制御装置３００は、図５１の全体制御装置３００のブロック図に示すように、透過原稿スキャナ４００や反射原稿スキャナ８１０から送信された入力デジタル画像を受信する画像入力Ｉ／Ｆ３２０と、画像入力Ｉ／Ｆが受信した入力デジタル画像を記憶する入力画像メモリ３３１と、入力画像メモリに記憶された入力デジタル画像から画素数減少処理して縮小画像を得て、得られた縮小画像からシミュレーション画像を作成し、指示入力部３９０からの入力に応じて表示制御部３７３を制御し、本装置での画像処理を制御する画像処理制御部３３３と、画像処理制御部３３３で作成された縮小画像とシミュレーション画像を記憶するシミュレーション画像メモリ３７１と、シミュレーション画像メモリ３７１に記憶されているシミュレーション画像から表示画像を作成し、モニタ３１０に表示させる表示制御部３７３と、表示制御部３７３からの信号により、表示画像を表示するモニタ３１０と、表示画像、画像処理、画像出力や様々な処理に関する指示を入力する指示入力部３９０と、他の装置からの制御情報を入出力する制御Ｉ／Ｆ３５０と、制御Ｉ／Ｆ３５０を通して他の装置や本装置を制御する全体制御部３６３と、操作者に対する様々な指示画面を記憶する制御画像メモリ３６１を有するだけでなく、入力画像メモリ３３１に記憶された入力デジタル画像から画像処理を施し出力デジタル画像を得る画像処理実行部３３５と、画像処理実行部３３５により得られた出力デジタル画像や画像処理制御部３３３で得られた縮小画像を記憶する出力画像メモリ３３７と、出力画像メモリ３３７に記憶された縮小画像を画像処理装置Ａ〜Ｃに、出力デジタル画像を露光部２１０に送信する画像出力Ｉ／Ｆ３４０と、記録媒体に記録されている入力デジタル画像を読み取ったり、記録媒体に出力デジタル画像を記録させる記録媒体ドライブ３３８とを有する。
【０２２３】
次に、画像処理装置Ａ〜Ｃについて説明する。図５２の画像処理装置Ａ〜Ｃのブロック図に示すように、画像処理装置Ａ〜Ｃは、全体制御装置３００から送信された縮小画像を受信する画像入力Ｉ／Ｆ９２０と、画像入力Ｉ／Ｆ９２０が受信した縮小画像を記憶する入力画像メモリ９３１と、入力画像メモリ９３１に記憶された縮小画像からシミュレーション画像を作成したり、指示入力部９９０の入力に応じて画像処理の内容を決定したり、画像処理装置全体を制御したりする画像処理制御部９３３と、画像処理制御部９３３で作成されたシミュレーション画像を記憶するシミュレーション画像メモリ９７１と、シミュレーション画像メモリ９７１に記憶されているシミュレーション画像から表示画像を作成し、モニタに表示させる表示制御部９７３と、表示制御部９７３からの信号により、表示画像を表示するモニタ９１０と、表示画像、画像処理及び画像出力に関する指示を入力する指示入力部９９０と、決定された画像処理の内容を送信し、他の装置との制御情報を入出力する制御Ｉ／Ｆ９５０と、操作者に対する様々な指示画面を記憶する制御画像メモリ９６１と、画像処理制御部９３３からの制御信号により対価を徴収し、対価を徴収したり、できなかった旨の信号を返信する対価徴収部９８０を有する。
【０２２４】
なお、本実施形態では全体制御装置３００と画像処理装置Ａ〜Ｃとが回線で結ばれ、縮小画像の送信する際に、圧縮処理を施し、受信した圧縮処理された縮小画像を再生する。
【０２２５】
全体制御装置３００の画像出力Ｉ／Ｆ３４０に、出力デジタル画像を送信するための送信部とは別に、回線送信部３２４があり、図５３に示すように、回線送信部３２４に縮小画像を回線で送信するための信号処理部３２３が付設されている。信号処理部３２３には、８×８画素に分割するブロック分割部３２６と、ブロック分割部３２６により分割された８×８画素毎にコサイン変換するコサイン変換部３２７と、コサイン変換部３２７によりコサイン変換された信号を量子化する量子化部３２８と、量子化部３２８により量子化された信号を符号化して出力する符号化部３２９とがあり、回線送信部３２４がこの信号処理部３２３から出力された信号を回線により画像処理装置Ａ〜Ｃに送信する。
【０２２６】
また、画像処理装置Ａ〜Ｃの画像入力Ｉ／Ｆ９２０には回線受信部９２６があり、図５４に示すように、回線受信部９２６に信号処理部９２７が付設されている。回線受信部９２６が回線を通じて全体制御装置３００から圧縮処理された縮小画像を受信し、受信した圧縮処理された縮小画像は信号処理部９２７に送る。信号処理部９２７は、送られた信号を復号化する復号化部９２１と、復号化部９２１で復号化した信号を逆量子化する逆量子化部９２２と、逆量子化部９２２で逆量子化した信号を逆コサイン変換する逆コサイン変換部９２３と、逆コサイン変換部９２３で逆コサイン変換された８×８画素ごとの信号から元の縮小画像に再生する再生部９２４とがあり、これにより、圧縮処理された縮小画像を再生して入力画像メモリ９３１に送られる。
【０２２７】
【発明の効果】
〔請求項１の効果〕現像処理されたプリント用感光材料を所定の幅に切断するので、露光手段や現像処理手段にはマガジンに収容されているプリント用感光材料の幅のプリント用感光材料が送られ、露光手段や現像処理手段の搬送機構への負担なく、また、プリントの幅の切替えに、露光手段や現像処理手段の搬送機構の切替えが不要なので、プリントの幅の切り替えに時間がかからずに、長尺状プリント用感光材料を収容するマガジンを交換しなくても、マガジンに収容されている幅のプリントだけでなく他の幅のプリントも作成できる。
供給手段による供給とペーパー現像処理手段による現像処理の間にプリント用感光材料を所定の長さに切断するので、露光と現像処理とを同期させたり、大きなアキュームを持たせたりする必要がない。
【０２２８】
〔請求項２の効果〕幅方向に複数の画像を露光しうるので、簡単な構造で、所定の幅に切断されるプリント用感光材料を有効に利用でき、露光されないプリント用感光材料の割合を小さく又は無くすことができる。
【０２３１】
〔請求項３の効果〕間違えて所定の幅に切断することを防止できる。
【０２３２】
〔請求項４の効果〕現像処理されたプリント用感光材料を所定の幅に切断するので、マガジンに収容されているプリント用感光材料の幅のプリント用感光材料を露光や現像処理すればよく、露光や現像処理の搬送機構への負担がなく、また、プリントの幅の切替えに、露光や現像処理の搬送機構の切替えが不要なので、プリントの幅の切り替えに時間がかからずに、長尺状プリント用感光材料を収容するマガジンを交換しなくても、マガジンに収容されている幅のプリントだけでなく他の幅のプリントも作成できる。
供給と現像処理の間の工程でプリント用感光材料を所定の長さに切断するので、露光と現像処理とを同期する必要がなく、露光と現像処理との間に大きなアキュームを持たせる必要がない。
【０２３３】
〔請求項５の効果〕幅方向に複数の画像を露光しうるので、簡単な構造で、所定の幅に切断されるプリント用感光材料を有効に利用でき、露光されないプリント用感光材料の割合を小さく又は無くすことができる。
【０２３６】
〔請求項６の効果〕露光像に応じて、タイミングを制御して所定の幅の切断を実行したり実行しなかったりするので、間違えて所定の幅に切断することがない。
【０２３７】
〔請求項７の効果〕通常は、プリントサイズに応じて所定の長さに切断するので、アキューム機構は不要であり、プリントサイズによっては、複数枚のプリント分の長さに切断し、現像処理することにより、ペーパー現像処理手段の搬送機構を簡単なものにすることができ、複数枚のプリント分の長さに切断されたプリント用感光材料であっても、現像処理した後に、所望のプリントサイズの所定の長さに切断するので、別の装置でプリントを切断しなくてもよい。
【０２３８】
〔請求項８の効果〕複数枚のプリント分の長さに切断するプリントは全て同一の画像のプリントであるので、切断後の搬送機構を簡単なものにできる。
【０２３９】
〔請求項９の効果〕複数枚のプリント分の長さに切断するプリントは全て同一の画像の名刺プリントであるので、露光手段で記憶すべきデジタル画像の量は小さく、デジタル画像から露光信号を得るためのタイムラグは最初だけでよく、後は不要であるので、生産性の低下を防止できる。
【図面の簡単な説明】
【図１】実施形態１の画像処理システムの全体概略構成図。
【図２】実施形態１の画像処理システムの全体ブロック図。
【図３】実施形態１の全体制御装置３００のブロック図。
【図４】実施形態１の画像処理システムのフィルムから見たフロー図。
【図５】実施形態１の画像処理システムのフィルム挿入口６１１の（Ａ）正面図及び（Ｂ）側面断面図。
【図６】図５（Ａ）のＺ−Ｚ’断面斜視図。
【図７】図５（Ａ）のＸ−Ｘ’断面斜視図。
【図８】図５（Ｂ）のＹ−Ｙ’断面斜視図。
【図９】実施形態１のフィルムとオーダ名との対応付けのフロー図。
【図１０】実施形態１の画像処理装置を特定するフローのフロー図。
【図１１】モニタの視認性の説明図。
【図１２】実施形態１の画像処理システムの本体の側断面図。
【図１３】図１２のＭＰＰ方向から見たモニタ３１０、９１０Ａ〜Ｃの正面図。
【図１４】実施形態１の画像処理システムの装置本体６６０を収容する外枠６００と全体制御装置３００とソータ７００とからなる本体部の外観図。
【図１５】実施形態１のソータの概略断面図。
【図１６】実施形態１の装置本体６６０の概要構成図。
【図１７】実施形態１の装置本体６６０のフィルム現像処理部１とペーパー現像処理部４と各補助タンク２、５とフィルター３、６と固体処理剤容器７と固体処理剤供給部８と固体処理剤誘導部９の配置を示す垂直断面図。
【図１８】実施形態１の装置本体６６０のフィルム現像処理部１とペーパー現像処理部４と各補助タンク２、５とフィルター３、６と固体処理剤容器７の配置を示す平面図。
【図１９】実施形態１の装置本体６６０のフィルム現像処理部１の概略断面図。
【図２０】実施形態１の装置本体６６０の印画紙に露光し、現像処理し、プリントにする工程の概略断面図。
【図２１】実施形態１の固体処理剤容器７と固体処理剤供給部８と固体処理剤誘導部９の配置を示す概略斜視図。
【図２２】実施形態１の変形実施形態の固体処理剤容器７と固体処理剤供給部８と固体処理剤誘導部９の配置を示す概略斜視図。
【図２３】実施形態１の撮像部４００を収容する撮像部収容体１００の断面図。
【図２４】実施形態１の装置の撮像部４００の概略斜視図。
【図２５】実施形態１の撮像素子部４１１の概略断面図。
【図２６】実施形態１の撮像部４００のブロック図。
【図２７】実施形態１の写真原稿収容容器５１０の斜視図。（Ａ）は回転軸５１１にマットシート５１６が巻かれる前の状態を、（Ｂ）は回転軸５１１にマットシート５１６が大方巻かれた状態を示す。
【図２８】実施形態１の写真原稿収容容器５１０の斜視図。回転軸５１１にマットシート５１６が完全に巻かれた状態を示す。
【図２９】実施形態１の巻取部１６０と写真原稿収容容器収容部６２０と写真原稿送出部６３０の付近の概略断面を示す概略断面図。
【図３０】実施形態１の巻取部１６０の動作の説明図。
【図３１】実施形態１の巻取部１６０の動作の説明図。
【図３２】実施形態１の巻取部１６０の動作の説明図。
【図３３】実施形態１の写真原稿送出部６３０の動作の説明図。
【図３４】実施形態１の写真原稿送出部６３０の動作の説明図。
【図３５】実施形態１の画像処理装置Ａ〜Ｃのブロック図。
【図３６】実施形態１の画像処理システムの印画紙から見たフロー図。
【図３７】実施形態１の印画紙の切断パターンを示す図。
【図３８】実施形態１の露光部２１０の概略構成図。
【図３９】実施形態１の露光素子部２３０の周辺の概略図。（Ａ）は断面図で、（Ｂ）は斜視図である。
【図４０】実施形態１の露光部２１０のブロック図。
【図４１】実施形態１の印画紙を所定の幅に切断する所定幅カッタ５６３や所定長カッタ５７１周辺の概略斜視図。
【図４２】実施形態１のソータ内部の概略斜視図。
【図４３】実施形態１のソータ７００の制御ブロック図。
【図４４】実施形態３の画像処理システムの外観の３面図。（Ａ）は左側面図であり、（Ｂ）は正面図であり、（Ｃ）は右側面図である。
【図４５】実施形態３の外枠６００及び全体制御装置３００の右側面図。
【図４６】実施形態３のソータ７００の断面図。
【図４７】実施形態３の斜め上方から見たイメージ図である。
【図４８】実施形態４の画像処理システムの概略斜視図。
【図４９】実施形態４の画像処理システムのブロック図。
【図５０】実施形態４の画像処理システムの画像に関する情報・データの流れを示す概念図。
【図５１】実施形態４の画像処理システムの全体制御装置３００のブロック図。
【図５２】実施形態４の画像処理システムの画像処理装置Ａ〜Ｃのブロック図。
【図５３】実施形態４の画像処理システムの全体制御装置３００の画像出力Ｉ／Ｆ３４０内の信号処理部３２３と回線送信部３２４のブロック図。
【図５４】実施形態４の画像処理システムの画像処理装置Ａ〜Ｃの画像入力Ｉ／Ｆ９２０内の回線受信部９２６と信号処理部９２７のブロック図。
【符号の説明】
１  フィルム現像処理部
２  フィルム現像処理部の補助タンク
３  フィルム現像処理部の補助タンクのフィルター
４  ペーパー現像処理部
５  ペーパー現像処理部の補助タンク
６  ペーパー現像処理部の補助タンクのフィルター
７  固体処理剤容器
８  固体処理剤供給部
９  固体処理剤誘導部
１２  廃液管
２２、５２  剣山
２３、５３  パイプ
２４、５４  ポンプ
２５、５５  パイプ
３１、６１  フィルターの濾過部
３２、６２  フィルターの抑え部
３３、６３  フィルターの摘持部
１００  撮像部収容体
２００  露光部収容体
２１０  露光部
３００  全体制御装置
３１０  モニタ（全体制御装置３００のモニタ）
３９０  指示入力部
４００  撮像部
５１０  写真原稿収容容器・写真原稿収容体
５５０  後処理部
６００  外枠
６１０  フィルム送出部
６１１  挿入口
６２０  写真原稿収容容器収容部
６３０  写真原稿送出部
７００  ソータ
８００  廃液処理部
９１０（Ａ〜Ｃ）  （画像処理装置の）モニタ
Ｆ  フィルム、写真原稿
【図１】
0003588736.tif 000002
【図２】
0003588736.tif 000003
【図３】
0003588736.tif 000004
【図４】
0003588736.tif 000005
【図５】
0003588736.tif 000006
【図６】
0003588736.tif 000007
【図７】
0003588736.tif 000008
【図８】
0003588736.tif 000009
【図９】
0003588736.tif 000010
【図１０】
0003588736.tif 000011
【図１１】
0003588736.tif 000012
【図１２】
0003588736.tif 000013
【図１３】
0003588736.tif 000014
【図１４】
0003588736.tif 000015
【図１５】
0003588736.tif 000016
【図１６】
0003588736.tif 000017
【図１７】
0003588736.tif 000018
【図１８】
0003588736.tif 000019
【図１９】
0003588736.tif 000020
【図２０】
0003588736.tif 000021
【図２１】
0003588736.tif 000022
【図２２】
0003588736.tif 000023
【図２３】
0003588736.tif 000024
【図２４】
0003588736.tif 000025
【図２５】
0003588736.tif 000026
【図２６】
0003588736.tif 000027
【図２７】
0003588736.tif 000028
【図２８】
0003588736.tif 000029
【図２９】
0003588736.tif 000030
【図３０】
0003588736.tif 000031
【図３１】
0003588736.tif 000032
【図３２】
0003588736.tif 000033
【図３３】
0003588736.tif 000034
【図３４】
0003588736.tif 000035
【図３５】
0003588736.tif 000036
【図３６】
0003588736.tif 000037
【図３７】
0003588736.tif 000038
【図３８】
0003588736.tif 000039
【図３９】
0003588736.tif 000040
【図４０】
0003588736.tif 000041
【図４１】
0003588736.tif 000042
【図４２】
0003588736.tif 000043
【図４３】
0003588736.tif 000044
【図４４】
0003588736.tif 000045
【図４５】
0003588736.tif 000046
【図４６】
0003588736.tif 000047
【図４７】
0003588736.tif 000048
【図４８】
0003588736.tif 000049
【図４９】
0003588736.tif 000050
【図５０】
0003588736.tif 000051
【図５１】
0003588736.tif 000052
【図５２】
0003588736.tif 000053
【図５３】
0003588736.tif 000054
【図５４】
0003588736.tif 000055